(57)【要約】【課題】無線ネットワーク内の多重接続性。【解決手段】例示的技術は、ユーザー・デバイスにより無線ネットワーク内で多重接続セッションを確立するステップであって、多重接続セッションが、ユーザー・デバイスと第１のセルとの間の第１の接続およびユーザー・デバイスと第２のセルとの間の第２の接続を含み、第１の接続および第２の接続は独立しており、多重接続セッションのための１つ以上のダウンリンク・データ・ユニットが第１のセルおよび第２のセルの両方により受信される、ステップと、多重接続セッションの第１のデータ・ユニット群を受信する要求のユーザー・デバイスによる第１のセルへの送信を制御するステップと、多重接続セッションの第２のデータ・ユニット群を受信する要求の、ユーザー・デバイスによる第２のセルへの送信を制御するステップであって、第１のデータ・ユニット群が第２のデータ・ユニット群と異なっている、ステップとを含むことができる。【選択図】図２
2017526302.tif 000002
【特許請求の範囲】
【請求項１】
方法を実施するために命令を実行するように構成されたプロセッサを含む方法において、
ユーザー・デバイスにより無線ネットワーク内で多重接続セッションを確立するステップであって、前記多重接続セッションが、前記ユーザー・デバイスと第１のセルとの間の第１の接続および前記ユーザー・デバイスと第２のセルとの間の第２の接続を含み、前記第１の接続および前記第２の接続は独立しており、前記多重接続セッションのための１つ以上のダウンリンク・データ・ユニットが前記第１のセルおよび前記第２のセルの両方により受信される、ステップと、
前記多重接続セッションの第１のデータ・ユニット群を前記第１のセルから受信する要求の前記ユーザー・デバイスによる前記第１のセルへの送信を制御するステップと、
前記多重接続セッションの第２のデータ・ユニット群を前記第２のセルから受信する要求の、前記ユーザー・デバイスによる前記第２のセルへの送信を制御するステップであって、前記第１のデータ・ユニット群が前記第２のデータ・ユニット群と異なっている、ステップと、
を含む方法。
【請求項２】
前記多重接続セッションのどのデータ・ユニットを前記第１のセルを介して受信すべきか、および前記多重接続セッションのどのデータ・ユニットを前記第２のセルを介して受信すべきかについての決定を前記ユーザー・デバイスにより行うステップ、
をさらに含む、請求項１に記載の方法。
【請求項３】
前記多重接続セッションのためのデータが前記第２のセルを介して通信されている間に、前記第１のセルから第３のセルへの前記第１の接続のハンドオーバーを行う決断を前記ユーザー・デバイスにより下すステップ、
をさらに含む、請求項１に記載の方法。
【請求項４】
前記多重接続セッションのためのデータが前記第３のセルを介して通信されている間に、前記第２のセルから第４のセルへの前記第２の接続のハンドオーバーを行う決断を前記ユーザー・デバイスにより下すステップ、
をさらに含む、請求項３に記載の方法。
【請求項５】
前記ユーザー・デバイスへの配送のために前記第１のセルにおいて利用可能である前記多重接続セッションの１つ以上のデータ・ユニットを識別する第１のメッセージの、前記第１のセルからの受信を制御するステップ、
をさらに含み、
第１のデータ・ユニット群を受信する要求の前記ユーザー・デバイスによる前記第１のセルへの送信を制御する前記ステップは、前記第１のセルにおいて利用可能である前記データ・ユニットの１つ以上を受信する要求の、前記ユーザー・デバイスによる前記第１のセルへの送信を制御するステップを含む、請求項１に記載の方法。
【請求項６】
前記ユーザー・デバイスへの配送のために前記第２のセルにおいて利用可能である前記多重接続セッションの１つ以上のデータ・ユニットを識別する第２のメッセージの、前記第２のセルからの受信を制御するステップ、
をさらに含み、
第２のデータ・ユニット群を受信する要求の前記ユーザー・デバイスによる前記第２のセルへの送信を制御する前記ステップは、前記第２のセルにおいて利用可能である前記データ・ユニットの１つ以上を受信する要求の、前記ユーザー・デバイスによる前記第２のセルへの送信を制御するステップを含む、請求項１に記載の方法。
【請求項７】
前記第１のセルおよび前記第１の接続を介したコア・ネットワークの多重接続エンティティからの前記第１のデータ・ユニット群の少なくともいくつかの、前記ユーザー・デバイスによる受信を制御するステップと、
前記第２のセルおよび前記第２の接続を介した前記多重接続エンティティからの前記第２のデータ・ユニット群の少なくともいくつかの、前記ユーザー・デバイスによる受信を制御するステップと、
前記受信データ・ユニットの１つ以上を前記ユーザー・デバイスにより順序変更するステップと、
をさらに含む、請求項１に記載の方法。
【請求項８】
前記第１のデータ・ユニット群の１つ以上のデータ・ユニットおよび前記第２のデータ・ユニット群の１つ以上のデータ・ユニットの受信を確認する肯定応答の、前記ユーザー・デバイスから前記第１のセルへの送信を制御するステップ、
をさらに含む、請求項１に記載の方法。
【請求項９】
前記肯定応答の送信を制御する前記ステップは、
前記第１のデータ・ユニット群の１つ以上のデータ・ユニットの受信を確認する第１のメッセージの、前記ユーザー・デバイスから前記第１のセルへの送信を制御するステップと、
前記第２のデータ・ユニット群の１つ以上のデータ・ユニットの受信を確認する第２のメッセージの、前記ユーザー・デバイスから前記第１のセルへの送信を制御するステップと、
を含む、請求項８に記載の方法。
【請求項１０】
前記第１のデータ・ユニット群の１つ以上のデータ・ユニットおよび前記第２のデータ・ユニット群の１つ以上のデータ・ユニットの受信を確認する肯定応答の、前記ユーザー・デバイスから前記第２のセルへの送信を制御するステップ、
をさらに含む、請求項１に記載の方法。
【請求項１１】
前記第２のデータ・ユニット群の１つ以上のデータ・ユニットを前記ユーザー・デバイスが受信したことを確認する第１の肯定応答の、前記ユーザー・デバイスから前記第２のセルへの送信を制御するステップと、
前記第２のデータ・ユニット群の前記１つ以上のデータ・ユニットを前記ユーザー・デバイスが受信したことを確認する第２の肯定応答の、前記第２のセルまたはコア・ネットワークから前記第１のセルへの送信を制御するステップと、
をさらに含む、請求項１に記載の方法。
【請求項１２】
前記第１のセルに結びついた状態をユーザー・デバイスにより検出するステップと、
前記状態の検出に応答した、前記ユーザー・デバイスによる前記第２のセルに対する、前記第１のデータ・ユニット群の少なくともいくつかを前記第２のセルから受信する要求の送信を制御するステップと、
をさらに含む、請求項１に記載の方法。
【請求項１３】
前記状態は、
前記ユーザー・デバイスにより前記第１のセルから受信された信号の、閾値よりも低い信号品質、
前記ユーザー・デバイスと前記第１のセルの間の前記第１の接続の、前記ユーザー・デバイスによって検出された不具合、
前記第１のセルから第３のセルへのハンドオーバーまたはセル再選択を行うことの、前記ユーザー・デバイスまたはコア・ネットワークのいずれかによる決断、および
前記第１のセルに対する接続再確立を行うことの、前記ユーザー・デバイスまたはコア・ネットワークのいずれかによる決断、
のうちの少なくとも１つを含む、請求項１２に記載の方法。
【請求項１４】
前記第１のセルに結びついたエラー状態を検出するステップと、
前記第１のデータ・ユニット群の１つ以上のデータ・ユニットを前記第２のセルから再伝送する要求の、前記ユーザー・デバイスから前記第２のセルまでの送信を制御するステップと、
をさらに含む、請求項１に記載の方法。
【請求項１５】
前記第１のセルに結びついた状態を検出するステップと、
前記第１のデータ・ユニット群の少なくともいくつかを前記第２のセルから受信する要求の、前記ユーザー・デバイスによる前記第２のセルへの送信を制御するステップと、
前記第２のセルが前記ユーザー・デバイスに対して前記多重接続セッションの全てのデータを送信する間、前記第１のセルから第３のセルへの前記第１の接続のためのハンドオーバーまたはセル再選択を行うステップと、
前記多重接続セッションの第３のデータ・ユニット群を受信する要求の、前記第３のセルへのハンドオーバーまたはセル再選択が完了した後の前記ユーザー・デバイスによる前記第３のセルへの送信を制御するステップと、
をさらに含む、請求項１に記載の方法。
【請求項１６】
少なくとも１つのプロセッサとコンピュータ命令を含む少なくとも１つのメモリとを備えた装置において、前記コンピュータ命令は、前記少なくとも１つのプロセッサにより実行されたとき、前記装置に、
ユーザー・デバイスのために無線ネットワーク内で多重接続セッションを確立させ、前記多重接続セッションが、前記ユーザー・デバイスと第１のセルとの間の第１の接続および前記ユーザー・デバイスと第２のセルとの間の第２の接続を含み、前記第１の接続および前記第２の接続は独立しており、前記多重接続セッションのための１つ以上のダウンリンク・データ・ユニットが前記第１のセルおよび前記第２のセルの両方により受信し、
前記多重接続セッションの第１のデータ・ユニット群を受信する要求の前記ユーザー・デバイスによる前記第１のセルへの送信を制御させ、
前記多重接続セッションの第２のデータ・ユニット群を受信する要求の、前記ユーザー・デバイスによる前記第２のセルへの送信を制御させ、第１のデータ・ユニット群が第２のデータ・ユニット群と異なっている、装置。
【請求項１７】
前記コンピュータ命令は、前記少なくとも１つのプロセッサにより実行された場合に、さらに前記装置に、
前記第１のセルに結びついた状態をユーザー・デバイスにより検出させ、
前記状態の検出に応答した、前記ユーザー・デバイスによる前記第２のセルに対する、前記第１のデータ・ユニット群の少なくともいくつかを前記第２のセルから受信する要求の送信を制御させる、
請求項１６に記載の装置。
【請求項１８】
前記状態は、
前記ユーザー・デバイスにより前記第１のセルから受信された信号の、閾値よりも低い信号品質、
前記ユーザー・デバイスと前記第１のセルの間の前記第１の接続の、前記ユーザー・デバイスによって検出された不具合、
前記第１のセルから第３のセルへのハンドオーバーまたはセル再選択を行うことの、前記ユーザー・デバイスまたはコア・ネットワークのいずれかによる決断、および
前記第１のセルに対する接続再確立を行うことの、前記ユーザー・デバイスまたはコア・ネットワークのいずれかによる決断、
のうちの少なくとも１つを含む、請求項１７に記載の装置。
【請求項１９】
コンピュータ可読記憶媒体を備え、実行可能なコードを記憶するコンピュータ・プログラム・プロダクトにおいて、前記実行可能なコードは、少なくとも１つのデータ処理装置によって実行されたとき、前記少なくとも１つのデータ処理装置に、
ユーザー・デバイスのために無線ネットワーク内で多重接続セッションを確立するステップであって、前記多重接続セッションが、前記ユーザー・デバイスと第１のセルとの間の第１の接続および前記ユーザー・デバイスと第２のセルとの間の第２の接続を含み、前記第１の接続および前記第２の接続は独立しており、前記多重接続セッションのための１つ以上のダウンリンク・データ・ユニットが前記第１のセルおよび前記第２のセルの両方により受信される、ステップと、
前記多重接続セッションの第１のデータ・ユニット群を受信する要求の前記ユーザー・デバイスによる前記第１のセルへの送信を制御するステップと、
前記多重接続セッションの第２のデータ・ユニット群を受信する要求の、前記ユーザー・デバイスによる前記第２のセルへの送信を制御するステップであって、第１のデータ・ユニット群が第２のデータ・ユニット群と異なっている、ステップと、
を含む方法を実施させるように構成されている、コンピュータ・プログラム・プロダクト。
【請求項２０】
方法を実施するために命令を実行するように構成されたプロセッサを含む方法において、
コア・ネットワークの多重接続エンティティにより、無線ネットワーク内で前記多重接続エンティティとユーザー・デバイス間の多重接続セッションを確立するステップであって、前記多重接続セッションが、少なくとも第１のセルを介した前記ユーザー・デバイスと前記多重接続エンティティとの間の第１の接続、および第２のセルを介した前記ユーザー・デバイスと前記多重接続セッションとの間の第２の接続を含み、前記第１の接続および前記第２の接続は独立している、ステップと、
前記多重接続セッションの複数のダウンリンク・データ・ユニットの前記多重接続エンティティによる受信を制御するステップと、
前記多重接続セッションの各ダウンリンク・データ・ユニットのための多重接続セッション・シーケンス数を、前記多重接続エンティティにより提供するステップと、
前記第１のセルおよび前記第２のセルの両方に対する前記多重接続セッションの複数の前記ダウンリンク・データ・ユニットのコピーの前記多重接続エンティティによる送信を制御するステップと、
を含む方法。
【請求項２１】
前記ユーザー・デバイスが前記多重接続セッションの前記第１の接続のために前記第１のセルから第３のセルへのハンドオーバーまたはセル再選択を行った後に、
前記第１のセルに対する前記多重接続セッションのためのダウンリンク・データ・ユニットの送信を制御するステップを前記多重接続エンティティにより中断するステップと、
前記第３のセルからの要求に基づいた前記第３のセルに対する前記多重接続セッションの前記ダウンリンク・データ・ユニットの少なくともいくつかのコピーの送信を、前記多重接続エンティティにより制御するステップと、
を行うステップをさらに含む、請求項２０に記載の方法。
【請求項２２】
前記多重接続セッションの前記ダウンリンク・データ・ユニットの各々は、前記ユーザー・デバイスからの１つ以上の要求に基づいて前記第１のセルまたは前記第２のセルのいずれかから前記ユーザー・デバイスへと転送される、請求項２０に記載の方法。
【請求項２３】
前記第１のセルを介して送信された前記ユーザー・デバイスからの多重接続セッションの１つ以上のアップリンクデータ・ユニットおよび、前記第２のセルを介して送信された前記ユーザー・デバイスからの前記多重接続セッションの１つ以上のアップリンクデータ・ユニットの、前記多重接続エンティティによる受信を制御するステップであって、前記受信したアップリンクデータ・ユニットの各々が多重接続セッション・シーケンス数を含む、ステップと、
前記受信したデータ・ユニットの各々について前記多重接続セッション・シーケンス数に基づき、前記受信したアップリンクデータ・ユニットを前記多重接続エンティティによって順序変更するステップと、
をさらに含む、請求項２０に記載の方法。
【請求項２４】
前記第１の接続は、前記ユーザー・デバイスと前記第１のセルとの間の第１の無線接続および、前記第１のセルと前記多重接続エンティティとの間の第１のバックホール接続を含み、
前記第２の接続は、前記ユーザー・デバイスと前記第２のセルの間の第２の無線接続および、前記第２のセルと前記多重接続エンティティの間の第２のバックホール接続を含む、
請求項２０に記載の方法。
【請求項２５】
少なくとも１つのプロセッサとコンピュータ命令を含む少なくとも１つのメモリとを備えた装置において、前記コンピュータ命令は、前記少なくとも１つのプロセッサにより実行されたとき前記装置に、
無線ネットワーク内でコア・ネットワークの多重接続エンティティとユーザー・デバイスとの間で多重接続セッションを確立させ、該多重接続セッションが少なくとも、第１のセルを介した前記ユーザー・デバイスと前記多重接続エンティティとの間の第１の接続および第２のセルを介した前記ユーザー・デバイスと前記多重接続セッションとの間の第２の接続を含み、前記第１の接続と前記第２の接続は独立しており、
前記多重接続セッションの複数のダウンリンク・データ・ユニットの、前記多重接続エンティティによる受信を制御させ、
前記多重接続セッションの各ダウンリンク・データ・ユニットのための多重接続セッション・シーケンス数を、前記多重接続エンティティにより提供させ、
前記第１のセルおよび前記第２のセルの両方に対する、前記多重接続セッションの複数の前記ダウンリンク・データ・ユニットのコピーの、前記多重接続エンティティによる送信を制御させる、
装置。
【発明の詳細な説明】
【技術分野】
【０００１】
本明細書は、通信に関する。
【背景技術】
【０００２】
通信システムは、固定または移動体通信デバイスなどの２つ以上のノードまたはデバイス間の通信を可能にする設備であることができる。信号は、有線または無線キャリヤ上で搬送される可能性がある。
【０００３】
セルラー通信システムの一例は、第３世代パートナーシップ・プロジェクト（３ＧＰＰ）によって規格化されているアーキテクチャである。この分野における最近の開発は、多くの場合、ユニバーサル移動体通信システム（ＵＭＴＳ）無線アクセス技術のロング・ターム・エボリューション（ＵＴＥ）と呼ばれる。Ｅ−ＵＴＲＡ（進化型ＵＭＴＳ地上無線アクセス）は、移動体ネットワークのための３ＧＰＰのロング・ターム・エボリュション（ＬＴＥ）アップグレード・パスのエアー・インターフェースである。ＬＴＥにおいては、エンハンスト・ノードＢ（ｅＮＢ）と呼ばれる基地局が、カバレッジ・エリアまたはセル内部の無線アクセスを提供する。ＬＴＥにおいて、移動体デバイスまたは移動局は、ユーザー機器（ＵＥ）と呼ばれる。ＬＴＥは、多くの改善または開発を含めてきた。
【発明の概要】
【０００４】
一例示的実装によると、方法は、ユーザー・デバイスにより無線ネットワーク内で多重接続セッションを確立するステップであって、多重接続セッションが、ユーザー・デバイスと第１のセルとの間の第１の接続およびユーザー・デバイスと第２のセルとの間の第２の接続を含み、第１の接続および第２の接続は独立しており、多重接続セッションのための１つ以上のダウンリンク・データ・ユニットが第１のセルおよび第２のセルの両方により受信される、ステップと、多重接続セッションの第１のデータ・ユニット群を第１のセルから受信する要求のユーザー・デバイスによる第１のセルへの送信を制御するステップと、多重接続セッションの第２のデータ・ユニット群を第２のセルから受信する要求の、ユーザー・デバイスによる第２のセルへの送信を制御するステップであって、第１のデータ・ユニット群が第２のデータ・ユニット群と異なっている、ステップと、を含むことができる。
【０００５】
一例示的実装によると、装置は、少なくとも１つのプロセッサとコンピュータ命令を含む少なくとも１つのメモリとを含むことができ、このコンピュータ命令は、少なくとも１つのプロセッサにより実行されたとき、装置に、ユーザー・デバイスにより無線ネットワーク内で多重接続セッションを確立させ、多重接続セッションは、ユーザー・デバイスと第１のセルとの間の第１の接続およびユーザー・デバイスと第２のセルとの間の第２の接続を含み、第１の接続および第２の接続は独立しており、多重接続セッションのための１つ以上のダウンリンク・データ・ユニットは第１のセルおよび第２のセルの両方により受信され、多重接続セッションの第１のデータ・ユニット群を受信する要求のユーザー・デバイスによる第１のセルへの送信を制御させ、多重接続セッションの第２のデータ・ユニット群を受信する要求の、ユーザー・デバイスによる第２のセルへの送信を制御させ、第１のデータ・ユニット群は第２のデータ・ユニット群と異なっている。
【０００６】
別の例示的実装によると、コンピュータ・プログラム・プロダクトは、コンピュータ可読記憶媒体を含み、実行可能なコードを記憶し、２つの実行可能なコードは、少なくとも１つのデータ処理装置によって実行されたとき、少なくとも１つのデータ処理装置に、ユーザー・デバイスにより無線ネットワーク内で多重接続セッションを確立するステップであって、多重接続セッションが、ユーザー・デバイスと第１のセルとの間の第１の接続およびユーザー・デバイスと第２のセルとの間の第２の接続を含み、第１の接続および第２の接続は独立しており、多重接続セッションのための１つ以上のダウンリンク・データ・ユニットが第１のセルおよび第２のセルの両方により受信される、ステップと、多重接続セッションの第１のデータ・ユニット群を第１のセルから受信する要求のユーザー・デバイスによる第１のセルへの送信を制御するステップと、多重接続セッションの第２のデータ・ユニット群を第２のセルから受信する要求の、ユーザー・デバイスによる第２のセルへの送信を制御するステップであって、第１のデータ・ユニット群が第２のデータ・ユニット群と異なっている、ステップと、を含む方法を実施させるように構成されている。
【０００７】
一例示的実装によると、装置は、ユーザー・デバイスにより無線ネットワーク内で多重接続セッションを確立するための手段であって、多重接続セッションが、ユーザー・デバイスと第１のセルとの間の第１の接続およびユーザー・デバイスと第２のセルとの間の第２の接続を含み、第１の接続および第２の接続は独立しており、多重接続セッションのための１つ以上のダウンリンク・データ・ユニットが第１のセルおよび第２のセルの両方により受信される、手段と、多重接続セッションの第１のデータ・ユニット群を第１のセルから受信する要求のユーザー・デバイスによる第１のセルへの送信を制御するため手段と、多重接続セッションの第２のデータ・ユニット群を第２のセルから受信する要求の、ユーザー・デバイスによる第２のセルへの送信を制御するための手段であって、第１のデータ・ユニット群が第２のデータ・ユニット群と異なっている手段と、を含むことができる。
【０００８】
別の例示的実装によると、方法は、コア・ネットワークの多重接続エンティティにより、無線ネットワーク内で多重接続エンティティとユーザー・デバイス間の多重接続セッションを確立するステップであって、多重接続セッションが、少なくとも第１のセルを介したユーザー・デバイスと多重接続エンティティとの間の第１の接続、および第２のセルを介したユーザー・デバイスと多重接続セッションとの間の第２の接続を含み、第１の接続および第２の接続とは独立している、ステップと、多重接続セッションの複数のダウンリンク・データ・ユニットの多重接続エンティティによる受信を制御するステップと、多重接続セッションの各ダウンリンク・データ・ユニットのための多重接続セッション・シーケンス数を、多重接続エンティティにより提供するステップと、第１のセルおよび第２のセルの両方に対する多重接続セッションの複数のダウンリンク・データ・ユニットのコピーの多重接続エンティティによる送信を行うステップと、を含むことができる。
【０００９】
一例示的実装によると、装置は、少なくとも１つのプロセッサとコンピュータ命令を含む少なくとも１つのメモリとを含むことができ、このコンピュータ命令は、少なくとも１つのプロセッサにより実行されたとき装置に、無線ネットワーク内でコア・ネットワークの多重接続エンティティとユーザー・デバイスとの間で多重接続セッションをコア・ネットワークの多重接続エンティティにより確立させ、多重接続セッションは少なくとも、第１のセルを介したユーザー・デバイスと多重接続エンティティとの間の第１の接続および第２のセルを介したユーザー・デバイスと多重接続セッションとの間の第２の接続を含み、第１の接続と第２の接続は独立しており、多重接続セッションの複数のダウンリンク・データ・ユニットの、多重接続エンティティによる受信を制御させ、多重接続セッションの各ダウンリンク・データ・ユニットのための多重接続セッション・シーケンス数を、多重接続エンティティにより提供させ、第１のセルおよび第２のセルの両方に対する、多重接続セッションの複数のダウンリンク・データ・ユニットのコピーの、多重接続エンティティによる送信を制御させる。
【００１０】
別の例示的実装によると、コンピュータ・プログラム・プロダクトは、コンピュータ可読記憶媒体を含み、実行可能なコードを記憶し、この実行可能なコードは、少なくとも１つのデータ処理装置によって実行されたとき、この少なくとも１つのデータ処理装置に、無線ネットワーク内で多重接続エンティティとユーザー・デバイスとの間で多重接続セッションをコア・ネットワークの多重接続エンティティにより確立するステップであって、該多重接続セッションが少なくとも、第１のセルを介したユーザー・デバイスと多重接続エンティティとの間の第１の接続および第２のセルを介したユーザー・デバイスと多重接続セッションとの間の第２の接続を含み、第１の接続と第２の接続は独立している、ステップと、多重接続セッションの複数のダウンリンク・データ・ユニットの、多重接続エンティティによる受信を制御するステップと、多重接続セッションの各ダウンリンク・データ・ユニットのための多重接続セッション・シーケンス数を、多重接続エンティティにより提供するステップと、第１のセルおよび第２のセルの両方に対する、多重接続セッションの複数のダウンリンク・データ・ユニットのコピーの、多重接続エンティティによる送信を行うステップと、を含む方法を実施させるように構成されている。
【００１１】
別の例示的実装によると、装置は、無線ネットワーク内でコア・ネットワークの多重接続エンティティとユーザー・デバイスとの間で多重接続セッションをコア・ネットワークの多重接続エンティティにより確立するための手段であって、多重接続セッションは少なくとも、第１のセルを介したユーザー・デバイスと多重接続エンティティとの間の第１の接続および第２のセルを介したユーザー・デバイスと多重接続セッションとの間の第２の接続を含み、第１の接続と第２の接続は独立している手段と、多重接続セッションの複数のダウンリンク・データ・ユニットの、多重接続エンティティによる受信を制御する手段と、多重接続セッションの各ダウンリンク・データ・ユニットのための多重接続セッション・シーケンス数を、多重接続エンティティにより提供する手段と、第１のセルおよび第２のセルの両方に対する、多重接続セッションの複数のダウンリンク・データ・ユニットのコピーの、多重接続エンティティによる送信を行う手段と、を含むことができる。
【００１２】
１つ以上の実装例の詳細は、添付図面および以下の説明中に論述されている。他の特徴は、明細書および図面ならびに特許請求の範囲から明らかになるものである。
【図面の簡単な説明】
【００１３】
【図１】一例示的実装に係る無線ネットワーク１３０のブロック図である。
【図２】ユーザー・デバイスおよびこのユーザー・デバイスのために多重接続性を提供することのできるコア・ネットワークの一例示的実装を示す図式である。
【図３】一例示的実装に係るユーザー・デバイスの動作を示す流れ図である。
【図４】一例示的実装に係るコア・ネットワークにおける多重接続アンカーの動作を示す流れ図である。
【図５】一例示的実装に係る無線局（例えばＢＳまたはユーザー・デバイス）のブロック図である。
【発明を実施するための形態】
【００１４】
図１は、一例示的実装に係る無線ネットワーク１３０のブロック図である。図１の無線ネットワーク１３０において、ユーザー機器（ＵＥ）とも呼ばれることのあるユーザー・デバイス１３１、１３２、１３３および１３５は、同様にエンハンスト・ノードＢ（ｅＮＢ）とも呼ばれることのある基本局（ＢＳ）１３４と接続される（およびこれと通信状態にある）ことができる。基地局または（ｅ）Ｎｏｄｅ  Ｂの機能性の少なくとも一部分は、同様に、遠隔無線ヘッドなどの、送受信機に作動的に結合させることのできる任意のノード、サーバーまたはホストによっても実施可能である。ＢＳ１３４は、ユーザー・デバイス１３１、１３２、１３３および１３５までを含めた１つのセル１３６の内部の無線カバレッジを提供する。ＢＳ１３４に接続または取付けされているものとして示されているユーザー・デバイスは４つだけであるが、任意の数のユーザー・デバイスを提供することができる。ＢＳ１３４は同様に、Ｓ１インターフェース１５１を介してコア・ネットワーク１５０にも接続される。これは単に、無線ネットワークの一例にすぎず、他の無線ネットワークも使用することができる。
【００１５】
ユーザー・デバイス（ユーザー端末、ユーザー機器（ＵＥ））は、非限定的に、例えば移動局、モバイル・フォン、セル・フォン、スマートホン、携帯端末（ＰＤＡ）、ハンドセット、ワイヤレス・モデムを使用するデバイス（アラームまたは測定デバイスなど）、ラップトップおよび／またはタッチ・スクリーン・コンピュータ、タブレット、ファブレット、ゲーム機、ノートブック型パソコン、およびマルチメディア・デバイスなどのタイプのデバイスを含む、加入者識別モジュール（ＳＩＭ）を用いてまたは用いずに動作する無線移動体通信デバイスを含めた携帯型計算デバイスを意味することができる。ユーザー・デバイスは同様に、ネットワークに画像またはビデオ・クリップをロードするカメラまたはビデオ・カメラを一例とする、ほぼ排他的にアップリンク専用のデバイスでもあることができるという点を認識すべきである。
【００１６】
（一例として）ＬＴＥでは、コア・ネットワーク１５０は、ＢＳ間でのユーザー・デバイスの移動性／ハンドオーバーを処理するかまたは補助することのできる移動性管理エンティティ（ＭＭＥ）、ＢＳとパケット・データ・ネットワークまたはインターネットとの間でデータまたは制御信号を転送できる１つ以上のゲートウェイ、および他の制御機能またはブロックを含むことのできる進化型パケット・コア（ＥＰＣ）とも呼ぶことができる。
【００１７】
図２は、ユーザー・デバイスおよびこのユーザー・デバイスのために、多重接続性（例えば２重接続性）を提供することのできるコア・ネットワークの一例示的実装を示す図式である。一例示的実装によると、多重接続性（またはマルチコネクティビティ）は、独立した無線接続を含めた２つ以上の独立接続を介してユーザー・デバイス１３１とコア・ネットワーク１５０との間でデータが通信される多重接続（ＭＣ）セッションとして提供可能である。同様に、一例示的実装によると、ＭＣセッションの各接続（または複数の接続）は、異なるセルを介して、ユーザー・デバイス１３１とコア・ネットワーク１５０との間で提供可能である。
【００１８】
図２を参照すると、例示的ユーザー・デバイス１３１は、ハードウェアおよび／またはソフトウェアの形で実装できる少なくとも１つの無線プロトコル・スタック２１２を含むことができる。一実施例実装によると、プロトコル・スタックは論理、および／またはプロトコル・スタックの各エンティティのための機能または動作を行うためにプロセッサによって実行されるコンピュータ命令を含むことができる。ユーザー・デバイス１３１のための一例示的プロトコル・スタック２１２は、例えば、多重接続（ＭＣ）エンティティ２５０、パケット・データ圧縮プロトコル（ＰＤＣＰ）エンティティ２４０、無線リンク制御（ＲＬＣ）エンティティ２４２、メディア・アクセス制御（ＭＡＣ）エンティティ２４４、物理層（ＰＨＹ）エンティティ２４６、および無線リソース制御（ＲＲＣ）エンティティ２４８を含むことができる。
【００１９】
ＰＤＣＰエンティティ２４０は、例えば、サイファリング（データの暗号化および復号）およびヘッダー圧縮−解凍を行うことができる。ＲＬＣエンティティ２４２は、例えばセグメンテーション／コンカテネーション、エラー検出および訂正、データ再伝送、重複検出、および上位層への順序通りのデータ配送を行うことができる。一例示的実装によると、１つの論理チャネルに対応する１つのＲＬＣが存在することができる。ＭＡＣエンティティ２４４は、論理チャネルの多重化（１つ以上の論理チャネルが存在できる場合）、ハイブリッドＡＲＱ（ＨＡＲＱ）再伝送（ＡＲＱは自動反復要求を意味し得る）、帯域内制御シグナリングのために使用されるＭＡＣ制御要素（ＭＡＣ  ＣＥ）の挿入、および他のＭＡＣ関連機能を行う。ＰＨＹエンティティ２４６は、コーディング／デコーディング、変調／復調、マルチ・アンテナ・マッピング、および他の物理層機能を処理するかまたは行う。ユーザー・デバイス内部の多数のＲＬＣエンティティは、１つのＭＡＣエンティティ２４４および１つのＰＨＹエンティティ２４６を共用することができる。ＲＲＣエンティティ２４８は、無線アクセス・ネットワーク（ＲＡＮ）に関連する多くの機能またはプロシージャの処理を担うことができる。
【００２０】
再びユーザー・デバイス１３１の例示的無線プロトコル・スタック２１２に言及すると、ＭＣエンティティ２５０は例えば、ユーザー・デバイス１３１とコア・ネットワーク１５０との間に確立することのできる１つ以上の多重接続（ＭＣ）セッションの確立、管理および／または制御と結びついたユーザー・デバイス機能を行うことができる。指摘した通り、多重接続セッションは、２つ以上の独立した無線接続を含む２つ以上の独立接続を介してユーザー・デバイス２１０とコア・ネットワーク１５０との間でデータが通信されるセッションを含むことができる。ＭＣセッション内で伝送されるデータは、ユーザー・デバイス１３１上でラン中の１つのアプリケーションのためのものであることができ、またはユーザー・デバイス上でラン中の多数のアプリケーションのためのデータ（例えば音声データ、テキスト／メッセージングアプリケーションからのテキスト・データ、ウェブ・ブラウザからのデータなど）を含むことができる。
【００２１】
一例示的実装によると、ユーザー・デバイス１３１は、各々の独立した接続または各々の独立した無線接続のための無線プロトコル・スタック２１２を含むことができる。同様に、１つのＭＣエンティティ２５０を、ＭＣセッションのための多重接続間で共用することもできる。ＭＣセッションのための多数の独立した無線接続を、同じ無線アクセス技術（ＲＡＴ）のために、または異なるＲＡＴ（例えばＬＴＥ、無線ＬＡＮ／ＷＬＡＮ、３Ｇ、ＥＤＧＥ．．．）内で提供することができる。いくつかの事例においては、無線接続が同じＲＡＴ用であるＭＣセッションのために、多数の独立した無線接続の間で、ＭＡＣエンティティ２４４およびＰＨＹエンティティ２４６を共用することができる。
【００２２】
図２の例示的実施例で示されているように、例えば、ＢＳ１３４により提供されるセル１３６およびＢＳ１４４により提供されるセル１４６を介することを含め、複数のセルを介してコア・ネットワーク１５０に対してユーザー・デバイス１３１を結合することができる。この例では、図２には、例えば、矢印２７０により示されているように、ユーザー・デバイス１３１がセル１５６／ＢＳ１５４に向かって移動するにつれてのセル１４６からセル１５６へのハンドオーバー（またはセル再選択）をユーザー・デバイス１３１が行えるようにするため、ＢＳ１５６により提供されるセル１５６である第３のセルも示されている。ユーザー・デバイス１３１が第１のセルから第２のセルへのハンドオーバーまたはセル再選択を行う決断は、ユーザー・デバイス１３１またはコア・ネットワーク１５０のいずれかによって確定することができる。
【００２３】
こうして、図２に示されているこの実施例においては、２つの独立した接続を介してユーザー・デバイス１３１をコア・ネットワーク１５０に結合することができ、ここで各接続は、ユーザー・デバイス１３１とセルの間の独立した無線接続、およびセルとコア・ネットワーク１５０の間のバックホール接続を含むことができる。例えば、図２に示されているように、無線接続２６０Ａおよびバックホール接続２６０Ｂを含みセル１４６を介して提供される接続２６０ならびに無線接続２６２Ａおよびバックホール接続２６２Ｂを含みセル１３６を介して提供される接続２６２を含めた多数の接続をユーザー・デバイス１３１とコア・ネットワーク１５０との間に含むＭＣセッションを確立することができる。この例示的実施例において、ＭＣセッションは、接続を２つしか含んでいないが、ＭＣセッションの一部として任意の数の接続を提供することができる。
【００２４】
無線接続２６０Ａおよび２６２Ａは、その各々がユーザー・デバイス１３１またはコア・ネットワーク１５０によって別個に管理されていることから、独立した無線接続であるとみなすことができ、ＭＣセッションの無線接続のいずれかの不具合（または破断）または切断が、このＭＣセッションの他のいずれかの無線接続の不具合または切断をひき起こす（またはそのような結果をもたらす）ことはない。したがって、例えば、独立した無線接続として、無線接続２６０Ａの不具合または切断が、無線接続２６２Ａに不具合または切断をひき起こすことはなく、無線接続２６２Ａの不具合または切断が、無線接続２６０Ａに不具合または切断をひき起こすこともない。これは、一次セル（Ｐｃｅｌｌ）を介して確立された接続の不具合または切断が、二次セル（Ｓｃｅｌｌ）を介して確立された接続の切断をひき起こす、ＰｃｅｌｌおよびＳｃｅｌｌの使用と対照的である。
【００２５】
一例示的実装によると、（例えば独立した無線接続を含む）独立した接続に起因して、ＭＣセッションの１つの接続の不具合または切断が発生した場合、例えばユーザー・デバイスがＭＣセッションのためにこの不具合／切断の発生した接続に置換するように新しい接続を再確立している間、このＭＣセッションについてのデータの全てを、ＭＣセッションの残りの他の接続／セルを介してユーザー・デバイス１３１とコア・ネットワーク１５０との間で通信させることができる。同様にして、ユーザー・デバイスがＭＣセッションの１つの接続についてのハンドオーバーを行う場合、例えば新しい接続が確立されＭＣセッションに加えられるまで、このようなハンドオーバープロシージャの間、ＭＣセッションの１つ以上の他の接続／セルを介して、ＭＣセッションについてのデータを全て通信することができる。このようにして、例示的実装の１つ以上は、改善された接続ロバスト性を提供する上で一助となることができ、ユーザー・デバイスにとっての中断の無い無線サービスという結果がもたらされる確率は高くなる可能性がある。
【００２６】
同様に、一例示的実装によると、例えばハンドオーバーまたはセル再選択のためのメッセージおよびリソース・スケジューリング・メッセージなどの、例えば接続管理のためのいくつかの制御信号／メッセージを、典型的には、１つのＭＣセッション内の各接続またはセルのために別個に送信することができる。すなわち、各接続のための少なくともいくつかの制御メッセージは、それぞれの接続上で通信される。例えば、一例示的実装によると、ユーザー・デバイスとの最初の接続を提供するＢＳは、ユーザー・デバイスに対する最初の接続上でこの最初の接続についての伝送スケジュールを送信することができる。同様にして、最初の接続についてのハンドオーバーメッセージおよび／またはセル再選択メッセージを、この最初の接続を介してユーザー・デバイスと基地局との間で送信することができる。
【００２７】
図２を参照すると、コア・ネットワーク１５０は、例えば、ユーザー・デバイス１３１とコア・ネットワーク１５０の間に確立できるＭＣセッション用など、１つ以上の多重接続（ＭＣ）セッションの確立、管理および／または制御に結びついたコア・ネットワーク機能を行うことのできる多重接続（ＭＣ）アンカー２５２を含むことができる。
【００２８】
一例示的実装によると、例えば１つのＭＣセッション内の多重接続／セル間で全てのデータ・ユニットについて共通のデータ・ユニットシーケンス番号セットを適用または使用できるようにするために、ＰＤＣＰエンティティより上の層またはエンティティにおいてデータ・ユニット（またはパケット）ナンバリングを提供することができる。例えば、ユーザー・デバイス１３１に向かうダウンリンク方向において、ＭＣアンカー２５２は、ＭＣセッションのためのデータ・パケット（またはデータ・ユニット）を受信し、ＭＣセッション・シーケンス番号を各データ・ユニットに提供または追加し、データ・ユニットの各々を（ＭＣセッションの多数のセル／ＢＳに対する伝送のために）複製し、このＭＣセッションのためにユーザー・デバイスに対する接続を提供する各セルまたはＢＳに対してＭＣセッションのための全てのデータ・ユニットを転送または送信することができる。ＭＣセッションのためのアップリンク方向（ユーザー・デバイスからコア・ネットワークへのデータ）では、ＭＣアンカー２５２は、ＭＣセッションのためにセルの各々から１つ以上のデータ・ユニットを受信することができ（ただし、例示的実装において、典型的には、多数のセルから同じデータ・ユニットを受信しない）、各ＭＣセッションデータ・ユニットについてのＭＣセッション・シーケンス番号に基づいて必要に応じて受信済みデータ・ユニットの順序変更を行うことができ、次に、インターネットまたは他のデータネットワークを介してデータ・ユニットを転送することができる。
【００２９】
例示的実装において、ＭＣセッションの一部である各セル（またはこのセルを提供するＢＳ）（またはこのＭＣセッションの接続を提供する各セル／ＢＳ）は、ＭＣアンカー２５２からのＭＣセッションの全てのダウンリンク・データ・ユニットを受信し記憶することができる。したがって、例示的実装によると、ＭＣセッションについての重複データ・ストリームが、ＭＣアンカー２５２からＭＣセッションの各ＢＳ／セルまで（または各接続を介して）、例えばＢＳ１４４／セル１４６の両方およびＢＳ１３４／セル１３６まで、伝送され得る。例示的実装において、ユーザー・デバイス１３１は、セルからＭＣセッションの１つ以上のデータ・ユニット（またはデータ・ユニット群）を受信するよう要求するデータ要求を、ＭＣセッションの各セル／ＢＳに対し送信することができる。ユーザー・デバイス１３１は、典型的には、ＭＣセッションの各ＢＳ／セル／接続からＭＣセッションの異なるデータ・ユニットを要求（および受信）することができるものの、ＭＣセッションのＢＳ／セルの各々に対しデータ・ユニットを受信する要求を送信することができる。こうして、一例示的実装によると、ユーザー・デバイス１３１は、ＭＣセッションの各セル／ＢＳ／接続から異なるデータ・ユニット群を要求し受信することができる。例えば、ユーザー・デバイス１３１はセル１４６／ＢＳ１４４に対し、ＭＣセッションについて（例えばＭＣセッション・シーケンス番号に基づき）奇数番号付番された全てのデータ・ユニットをセル１４６から受信する要求を送信することができ、かつユーザー・デバイス１３１はセル１４６／ＢＳ１４４に対し、ＭＣセッションについて（例えばＭＣセッション・シーケンス番号に基づき）偶数番号付番された全てのデータ・ユニットをセル１３６から受信する要求を送信することができる。これは単なる一例であり、ユーザー・デバイス１３１は、ＭＣセッションのセルから、任意のデータ・ユニットを要求することができる。
【００３０】
一例示的実装によると、ＭＣセッションの各セルは、そのセルにより伝送されるべきデータ・ユニットならびにＭＣセッションの他のセルにより伝送される（または伝送のためユーザー・デバイスによって要求される）べき他のデータ・ユニットを含めたＭＣセッションの全てのデータ・ユニットまたはパケットを受信することができる。したがって、例示的実装によると、（ＭＣセッションの全てのデータ・ユニットを含む）重複するダウンリンクデータ・ストリームが、ＭＣアンカー２５２により、ＭＣセッションの（またはＭＣセッションに割当てられた）全てのセルに対し送信され得る。同様に、一例示的実装によると、ユーザー・デバイス１３１は、例えばＭＣセッションの全てのダウンリンク・データ・ユニットがＭＣセッションのセル／ＢＳの各々により受信および記憶可能であることから、ユーザー・デバイス１３１は、ＭＣセッションのセル／ＢＳ／接続のいずれからでも任意のデータ・ユニットを要求することができる。これにより、例えば、異なるタイプのトラヒック（例えばデータ、音声）を異なる接続／セル上で送信できる場合、または、ＭＣセッションを用いて各アプリケーションにより要求されるサービスの質、各無線接続のチャネル品質（例えばパケット・エラー・レート、受信済み信号強度）などの１つ以上の基準に基づいて、ＭＣセッションの接続／セルの１つ以上に対しトラヒックを割振ることができる場合、例えばユーザー・デバイスに対するＭＣセッションのダウンリンクトラヒック（データ・ユニット）のスプリッティングが可能となる場合がある。例えば、ユーザー・デバイスは、各接続の信号強度を測定することができ、より大きい信号強度またはより低いエラー・レートなどを有する接続／セルから受信されるべきＭＣセッションのデータ・ユニットをより多く（またはより大きい百分率で）要求でき、例えばより低い信号強度またはより高いエラー・レートを有する接続／セルを介して受信すべきＭＣセッションのデータ・ユニットをより少なくまたはより小数だけ要求することができる。
【００３１】
１つ以上のデータ・ユニットの受信に応答して、ユーザー・デバイス１３１は、データ・ユニットの１つ以上の受信を確認するため１つ以上の肯定応答をＭＣセッションの１つ以上のセルに送信することができる。肯定応答の通信のためには、さまざまな技術または実装を使用することができる。例えば、ユーザー・デバイス１３１は、セル１４６から受信したデータ・ユニットおよびＭＣセッションの他のセル（例えばセル１３６）から受信したデータ・ユニットの両方を受信確認する肯定応答をセル１４６に送信することができる。こうして、ユーザー・デバイス１３１が、ＭＣセッションのためにセル１４６から奇数番号付番された全てのデータ・ユニット（例えば）を受信し、セル１３６から偶数番号付番された全てのデータ・ユニットを受信する場合には、一例示的実装によると、ユーザー・デバイス１３１は、奇数番号および偶数番号付番されたデータ・ユニットの両方の受信を確認する肯定応答を両方のセル１４６および１３６に送信できる。このようにして、（異なるセルから受信したデータ・ユニットを含む）任意の受信済みデータ・ユニットについてＭＣセッションの各セルに通知することによって、セルは、ユーザー・デバイス１３１により受信された任意のデータ・ユニットを廃棄または消去することができる。肯定応答は、受信するセルによって伝送されるデータ・ユニットのみを受信確認する第１の肯定応答、および他のセルにより受信されたデータ・ユニットを受信確認する第２の（別個の）肯定応答（クロスセル肯定応答）として提供可能である。または、代替的に、ＭＣセッションの全てのセルからのデータ・ユニットについての肯定応答を組合わせることができる。同様に、ユーザー・デバイス１３１からセルに送信された肯定応答は、セルに対して送信されたデータ要求上へピギーバックされ得る。例えば、セル１４６から１つ以上のデータ・ユニットを受信するためにユーザー・デバイス１３１によりセル１４６に送信された要求は同様に、ユーザー・デバイス１３１が（セル１４６またはセル１３６のいずれかから受信した）１つ以上の他のデータ・ユニットを受信したことを確認するピギーバックされた肯定応答を含むことができる。
【００３２】
別の例示的実装において、ユーザー・デバイス１３１は、各セルに対し、このようなセルから受信した（例えば唯一の）データを受信確認するために肯定応答を送信することができ、次に各セルは、（例えばユーザー・デバイス１３１からセルにより受信された肯定応答に基づいて）ユーザー・デバイスによってすでに受信されているデータ・ユニットを識別するためのメッセージを（例えばＸ２インターフェースまたはＢＳ−ＢＳインターフェースを介して）ＭＣセッションの他のセル／ＢＳに送信できる。したがって、クロスセル肯定応答（例えば他のセルからのデータ・ユニットの受信を確認する）が、ユーザー・デバイス１３１によってかまたはセルの１つ以上によって、例えばＢＳ−ＢＳ（またはセル−セル）インターフェースまたは通信リンクを介して通信され得る。
【００３３】
ここで、ユーザー・デバイス１３１、ＭＣセッションの（またはＭＣセッションに割当てられた）基地局（ＢＳ）、およびＭＣアンカーの動作に関して、いくつかの例示的実施例を説明する。図２を参照すると、ユーザー・デバイス１３１は例えば、最初にセル１４６／ＢＳ１４４を介してコア・ネットワーク１５０に対する接続２６０を確立することができ、次に、セル１３６／ＢＳ１３４を介してコア・ネットワーク１５０に対する接続２６２を確立することができる。ユーザー・デバイス１３１には、セル１４６および１３６各々の内部でユーザー・デバイスを識別できるＩＤ（または識別子）を割当てることができる。こうして、この実施例において、ユーザー・デバイス１３１は、２つの識別子を含むことができる。ユーザー・デバイス１３１は、ＭＣアンカー２５２が例えば２つの識別された接続２６０、２６２を介してかまたは２つの識別されたセル１４６および１３６を介して、ユーザー・デバイス１３１とコア・ネットワーク１５０の間にＭＣセッションを確立またはセットアップすることを要求するため、接続２６０または２６２の一方（または両方）を介して（またはセル１４６または１３６を介して）ＭＣアンカー２５２に対して多重接続（ＭＣ）セッション・セットアップ要求メッセージを送信することができる。
【００３４】
一例示的実装によると、ＭＣセッション・セットアップ要求メッセージは、１つ以上のフィールド、例えばＭＣセッション・セットアップ要求、ＭＣセッションに追加（またはＭＣセッション内に内含）すべきセル１４６および１３６を識別するためのセルＩＤ、および／またはセル１３６および１４６の各々のためのまたは各セル内部のユーザー・デバイスを識別するユーザー・デバイス識別子（例えば移動局ＩＤまたはＭＳＩＤ）を標示するフィールドなどを含むことができる。ＭＣセッションを確立した後、ＭＣアンカー１５２は、ＭＣセッションが確立されたことを標示するＭＣセッション・セットアップ応答メッセージをユーザー・デバイス１３１に対して、接続２６０、２６２の１つ以上（または両方）を介して送信できる。ユーザー・デバイス１３１に向けられるようにアドレス指定されたダウンリンク・データ・ユニットについては、ＭＣアンカー１５２は、ＭＣセッション・シーケンス番号（例えばＰＤＣＰ層の上）を各データ・ユニットに追加し、次に、重複したデータ・ユニット（重複データ・ストリーム）をＭＣセッションの（またはＭＣセッションに割当てられた）セル／接続（セル１４６／ＢＳ１４４、およびセル１３６／ＢＳ１３４）に対して送信することができる。
【００３５】
ユーザー・デバイス１３１は、ユーザー・デバイス１３１がセル／ＢＳから受信するよう要求しているＭＣセッションの１つ以上のデータ・ユニット（またはデータ・ユニット群）を識別するためのメッセージを、ＭＣセッションのセル（セル１３６／ＢＳ１３４およびセル１４６／ＢＳ１４４）の各々に送信することができる。代替的には、コア・ネットワーク１５０は、ＭＣセッションのどのデータ・ユニットまたはデータ・ユニットのどの部分または百分率をユーザー・デバイス１３１に送信すべきかを決定でき、それをＭＣセッションの各ＢＳ／セルに通知することができる。
【００３６】
ユーザー・デバイス１３１またはコア・ネットワークは、ＭＣセッションのセル／ＢＳの各々に対して（またはそれらから）どのデータ・ユニットまたはデータ・ユニットのどの部分を割振る（または送信する）べきか、を決定するために、例えば接続／セル間での等しいトラヒック負荷の平衡化、各接続のチャネル品質または無線経路状態（例えば受信された信号強度またはエラー・レート）に基づいてセルまたは接続間にトラヒックを割振ること、各セルまたはＢＳ上のトラヒック負荷、各データ・ユニットまたはＭＣセッション内に含まれる異なるタイプのトラヒックの優先順、などのさまざまな基準またはアプローチを使用または考慮することができる。ユーザー・デバイス１３１は、上述のように、セル１３６および１４６に対し肯定応答を送信できる。クロスセル肯定応答（例えば、ＭＣセッションの別のセルから受信したデータ・ユニットの受信について、セルに受信確認するもの）は、セルに対しユーザー・デバイス１３１により直接送信され得るか、または、例えばＭＣセッションの他のセルに対してデータ・ユニットを伝送したセル／ＢＳによって転送される可能性がある。
【００３７】
アップリンク方向では、ユーザー・デバイス１３１は、各データ・ユニットにＭＣセッション・シーケンス番号を追加することができ、ＭＣセッションの各データ・ユニットをＭＣセッションのセルの１つに転送することができる。例えば、多重接続／セル間で平衡化する、チャネル品質または無線経路状態などに基づいて多重接続／セルの間でトラヒックを割振る、トラヒック負荷に基づいてＭＣセッションについて２つ以上の接続／セル間でアップリンクデータ・ユニットをいかに割振るかを決定するために、ユーザー・デバイス１３１は同じまたは類似の状態を使用する。
【００３８】
したがって、一例示的実装によると、ダウンリンク方向では、ＭＣセッションの各セルまたはＢＳは、ＭＣセッションの両方／全てのセル／ＢＳに対して送信されたデータ・ユニットが共通のシーケンス番号付けシステムを使用または提供し、ＭＣセッションの１つのセル／ＢＳのみが各データ・ユニットをユーザー・デバイス１３１に送信または伝送する（例えばユーザー・デバイスからの要求に基づくか、またはコア・ネットワークからの命令に基づく）ＭＣアンカー１５２から全てのデータ・ユニットまたは重複するデータ・ストリームを受信することができる。しかしながら、いくつかの事例においては、セル／ＢＳは、別のセル／ＢＳからユーザー・デバイス１３１によって首尾よく受信／デコードされなかったデータ・ユニットを再伝送するように要求を受ける場合がある。一例示的実装によると、アップリンク方向において、ユーザー・デバイス１３１は、各データ・ユニットに対しＭＣセッション・シーケンス番号を追加し、次に各データ・ユニットをＭＣセッションのセル／ＢＳの１つに伝送または送信することができる。こうして、一例示的実装によると、ＭＣセッションの重複したデータ・ストリーム（または全てのデータ・ユニット）が、ＭＣセッションのアップリンクデータについてではなくダウンリンクデータについてＭＣセッションの全てのセルに対してＭＣアンカー２５２から提供される。
【００３９】
図２を参照すると、ユーザー・デバイス１３１は、矢印２７０によって示されているように、セル１４６から離れてセル１５６に向かって移動することができる。ユーザー・デバイス１３１が移動するにつれて、例えば、ユーザー・デバイス１３１は、セル１４６からユーザー・デバイス１３１への伝送がセル１３６に割当てられるかまたは再度割振られる（またはセル１３６または他のセルからユーザー・デバイス１３１までの伝送のために再割当てまたは再割振りされる）ようにスケジューリング（または要求）されたＭＣセッションの１つ以上のデータ・ユニットをユーザー・デバイス１３１に再割振りさせることのできるセル１４６に関する複数の状態を検出することができる。例えば、ユーザー・デバイス１３１は、次の状態の１つ以上を検出することができる：無線接続２６０Ａの無線リンクの不具合（または、無線接続２６０Ａの不具合の検出）、（セル１４６と結びついた）無線接続２６０Ａのための無線信号の信号品質（例えば受信信号強度）が閾値よりも低いことの検出、セル１４６により送信／伝送された１つ以上のデータ・ユニットが（例えば信号干渉に起因して）ユーザー・デバイス１３１によってデコードされなかったことの検出、セル１４６に関するハンドオーバー状態の検出（例えば、セル１５６からの信号の受信信号強度がセル１４６からの受信信号強度よりも大きく、ユーザー・デバイス１３１に対し、セル１４６からセル１５６へとハンドオーバーを行うことができるまたは行うべきであることが標示されている）（この場合、このようなハンドオーバー状態は、コア・ネットワーク１５０に報告されて、ユーザー・デバイスのためにコア・ネットワーク１５０がハンドオーバーの決断を下すことができるようにする可能性があるか、またはユーザー・デバイス３１は、独自のハンドオーバーの決断を下すことができる）、セル１４６からセル１５６への接続２６０のハンドオーバーを行うことのユーザー・デバイス１３１またはコア・ネットワーク１５０による決断、および／または他の状態または状況の検出。これらは単に一例にすぎず、セル１４６から１つ以上の他のセル、例えばセル１３６または他のセルへの１つ以上のデータ・ユニットの伝送を再割振りまたは再割当てするためにユーザー・デバイスをトリガーするかまたはユーザー・デバイスにこれをさせるために、他の状態または状況を使用することができる。
【００４０】
上述の例示的状態の１つ以上をユーザー・デバイス１３１が検出したことに応答して、ユーザー・デバイス１３１は、例えばセル１４６から要求されたもののユーザー・デバイス１３１によりまだ受信／デコードされていないデータ・ユニットを含む可能性のある、１つ以上要求されてはいるものの欠如しているデータ・ユニットを識別することができる。ユーザー・デバイス１３１は、（一例としての）上述の状態の１つ以上の検出に応答して、ＭＣセッションの欠如しているデータ・ユニットの１つ以上（または全て）をユーザー・デバイス１３１に送信／伝送するようセル１３６に要求する再割振りメッセージをセル１３６／ＢＳ１３４に送信することができる。ここで、ＭＣセッションのこのような欠如しているデータ・ユニットの受信の肯定応答は、このような欠如しているデータ・ユニットがユーザー・デバイス１３１によってまだ受信されていないことを理由として、セル１３６に対しまだ送信されていなかったと考えられるという点に留意されたい。したがって、一例示的実装によると、セル１３６／ＢＳ１３４は、ＭＣセッションの１つ以上の欠如データ・ユニットをバッファまたはメモリ内に今でも記憶しているはずであり、その場合、ユーザー・デバイス１３１からの要求があった時点でセル１３６からユーザー・デバイス１３１に対してこれらを伝送することができる。例えば、ユーザー・デバイス１３１が当初、奇数付番されたデータ・ユニットをセル１４６／ＢＳ１４４から要求し、最後に受信確認された奇数付番されたデータ・ユニットがシーケンス番号であった場合には、上述の状態の１つを検出した時点で、ユーザー・デバイス１３１は、奇数付番されたデータ・ユニットも送信する要求またはデータ・ユニット２３７、２３９、２４１（次の奇数付番されたデータ・ユニット）などを送信する要求を、セル１３６／ＢＳ１３４に送信することができる。代替的には、ユーザー・デバイス１３１は単に、例えば、ユーザー・デバイス１３１に対してＭＣセッションの全てのデータ・ユニット（偶数付番されたデータ・ユニットだけでなく）を送信する要求をセル１３６／ＢＳ１３４に送信することができ、これが、ユーザー・デバイス１３１に対する伝送のために予めスケジューリングされたまたはセルに割振られたＭＣセッションの任意の欠如データ・ユニットまたは次の順番の奇数付番データ・ユニットをセル１３６／ＢＳ１３４に送信させると考えられる。
【００４１】
一例として、セル１４６により送信／伝送された１つ以上のデータ・ユニットがユーザー・デバイス１３１によりデコードされなかったことの検出に応答して、ユーザー・デバイスは、ユーザー・デバイスにより受信またはデコードされなかった１つ以上のデータ・ユニットを送信する要求をＭＣセッションの他のセル（セル１３６／ＢＳ１３４）に送信することができる。ユーザー・デバイス１３１は、接続２６０が信頼できないことを（例えば、検出された状態または１つ以上のデータ・ユニットのデューディングの不具合に基づいて）仮定できることから、同様に、概してセル１４６からの伝送のために要求された１つ以上の追加のデータ・ユニット、例えば奇数付番されたデータ・ユニットを要求するメッセージをセル１３６／ＢＳ１３４に送信することもできる。したがって、ユーザー・デバイス１３１は、接続２６０Ａを介してセル１４６からユーザー・デバイス１３１を切断する要求をセル１４６に送信することができる。同様に、ユーザー・デバイス１３１は、随時、接続アッド・メッセージ（ＭＣアンカー１５１に対し、ＭＣセッションへの接続を追加することを要求する）および／または接続ドロップ・メッセージ（ＭＣアンカー２５２に対し、ＭＣセッションから接続をドロップすることを要求する）を、ＭＣアンカー２５２に送信することができる。こうして、この実施例において、ユーザー・デバイス１３１は、検出された状態に基づいて、ＭＣセッションから接続２６０／セル１４６をドロップすることをＭＣアンカーに要求する接続ドロップ・メッセージを、ＭＣアンカー２５２に送信することができる。この接続ドロップ・メッセージに基づいて、ＭＣアンカー２５２は接続２６０をドロップし、例えばセル１４６／ＢＳ１４４に対するＭＣセッションのためのデータ・ユニットの送信をＭＣアンカー２５２に中止させる（またはそれ以上送信させないようにする）ことができる。このような実施例においては、接続２６０／セル１４６はＭＣセッションからドロップまたは削除されていることから、ＭＣアンカー２５２は、（少なくとも一時的に）ＭＣセッションのためのダウンリンク・データ・ユニットをセル１３６／ＢＳ１３４に対してのみ送信することができる。
【００４２】
いくつかの地点で、ユーザー・デバイス１３１は、セル１５６／ＢＳ１５４を介してコア・ネットワーク１５０に対する接続２６４（無線接続２６４Ａおよびバックホール接続２６４Ｂを含む）を確立することができる。ユーザー・デバイスは、例えば、次に、ＭＣセッションに対し接続２６４／セル１５６／ＢＳ１５４を追加するようＭＣアンカー２５２に要求するための接続アッド・メッセージをＭＣアンカー２５２に送信することができる。ＭＣアンカー２５２は、次にセル１３６および（新たに追加された）セル１５６の両方にＭＣセッションのためのデータ・ユニットのコピーを送信することができる。接続２６４がＭＣセッションに追加されたことを確認する応答を受信した後、ユーザー・デバイス１３１は、ＭＣセッションの１つ以上のデータ・ユニットを受信すること、例えばメッセージ内で提供され得る特定のシーケンス番号で始まるＭＣセッションの奇数付番されたデータ・ユニットを受信することを要求するメッセージをセル１５６／ＢＳ１５４に送信することができる。ユーザー・デバイス１３１は同様に、特定のシーケンス番号を有するデータ・ユニットのみ、例えば偶数付番されたシーケンス番号を有するデータ・ユニットのみを要求する（進める）メッセージを、セル１３６／ＢＳ１３４に送信することもできる。このようにして、ＭＣセッションは、（独立した無線接続２６０Ａ、２６２Ａおよび２６４Ａを含む）独立した接続２６０、２６２および２６４の２つ以上を含むことができ、たとえ接続の１つの中に無線リンクの不具合または他の問題が発生しても、ユーザー・デバイス１３１に対し、中断されない無線サービスを提供することができる。したがって、例示的実施例においては、接続２６０Ａで無線リンクの不具合または他の問題が検出された後、例えば別の接続２６４を確立しＭＣセッションに追加できるまで、セル１４６／セル１４４によるユーザー・デバイス１３１に対する伝送のためにスケジューリングまたは割振られたＭＣセッションのデータ・ユニットを、ＭＣセッションの１つ以上の残りの接続、例えば接続２６２／セル１３６／ＢＳ１３４に対して、再割当てまたは再割振りすることができる。これは、単なる一例示的実施例にすぎず、他の実装または実施例も使用可能である。したがって、例示的実装は、ユーザー・デバイスに対し無線サービスのロバスト性の改善を提供することができる。
【００４３】
別の例示的実装によると、ユーザー・デバイス１３１は、接続２６０Ａ／セル１４６に関するハンドオーバー状態を検出し（例えば、セル１５６からの信号の受信信号強度がセル１４６からの受信信号強度よりも大きいことを決定すること、セル１４６からセル１５６へのハンドオーバーを行うことができるまたは行うべきであることをユーザー・デバイス１３１に対して標示することができる）、あるいは、ユーザー・デバイス１３１またはコア・ネットワーク１５０が、セル１４６からセル１５６への接続２６０のハンドオーバーを行う決断を下す。このような場合、セル１４６からセル１５６にハンドオーバーが行なわれている間、ＭＣセッションの１つ以上のセルさらには残りの全てのセル（例えばこの例ではセル１３６）は、全てのデータ・ユニットを、ユーザー・デバイス１３１に伝送することができる。一例示的実装によると、セル１３６はすでに、受信されたものの未伝送である（例えば受信確認されていない）データ・ユニットの全てを記憶またはバッファリングしており、セル１３６は、セル１４６からセル１５６へのハンドオーバーが完了するまで、当初伝送のためセル１４６に割振られたデータ・ユニットの伝送を少なくとも一時的に処理できることを理由として、このハンドオーバーの一部として、未伝送のバッファリングされたパケット／データ・ユニットをセル１４６／ＢＳ１４４がセル１３６／ＢＳ１３４にまたはセル１５６／セル１５４に転送する必要はない。このようにして、ソース・セルからターゲット・セルへのハンドオーバーが完了する前にソース・セル（例えばセル１４６）からバッファリングされたパケットが到着するのを待つようにターゲット・セル（例えばセル１５６）に要求しないことにより、ハンドオーバーをより迅速に、またはより少ない遅延または待ち時間で行うことができる。
【００４４】
こうして、一例示的実装によると、多重接続セッションは、少なくとも２つの接続、例えば、第１のセルに対する第１の独立した無線接続および第２のセルに対する第２の独立した無線接続などを含むことができる。一例示的実装によると、ユーザー・デバイスは、第１のセルにより記憶され第１のセルからユーザー・デバイスへの配送のために利用可能である多重接続セッションの１つ以上のデータ・ユニットを識別する第１のメッセージを、第１のセルから受信することができる。ユーザー・デバイスは、同様に、第２のセルにより記憶され第２のセルからユーザー・デバイスへの配送のために利用可能である多重接続セッションの１つ以上のデータ・ユニットを識別する第２のメッセージを、第２のセルから受信できる。ユーザー・デバイスは、セルの各々から多重接続セッションのどのデータ・ユニットを受信すべきかを決定することができるが、各データ・ユニットは、典型的には、多重接続セッションのセル／接続の１つのみから伝送される。
【００４５】
さらに、ユーザー・デバイスは、例えば各無線接続のチャネル品質（例えば受信信号強度、エラー・レッド．．．）など、各接続に結びついたさまざまな状態を監視することができ、他のセルからの信号を監視することができる。ハンドオーバー状態は、（例えば第１のセルからの信号よりも強い第３のセルの受信信号を標示する）ユーザー・デバイスから報告され得、コア・ネットワークは、ユーザー・デバイスがハンドオーバーまたはセル再選択を行う決断または決定を行うことができる。一例示的実装において、ユーザー・デバイスは、いつおよびどのターゲット・セルに対してユーザー・デバイスが多重接続セッションの各セルまたは接続についてのハンドオーバーを行うかを決定することができる。
【００４６】
図３は、一例示的実装に係るユーザー・デバイスの動作を示す流れ図である。動作３１０は、ユーザー・デバイスにより無線ネットワーク内で多重接続セッションを確立するステップを含み、多重接続セッションは、ユーザー・デバイスと第１のセルとの間の第１の接続およびユーザー・デバイスと第２のセルとの間の第２の接続を含み、第１の接続および第２の接続は独立しており、多重接続セッションのための１つ以上のダウンリンク・データ・ユニットは第１のセルおよび第２のセルの両方により受信される。動作３２０は、多重接続セッションの第１のデータ・ユニット群を第１のセルから受信する要求のユーザー・デバイスによる第１のセルへの送信を制御するステップを含む。そして、動作３３０は、多重接続セッションの第２のデータ・ユニット群を第２のセルから受信する要求の、ユーザー・デバイスによる第２のセルへの送信を制御するステップを含み、第１のデータ・ユニット群は第２のデータ・ユニット群と異なっている。
【００４７】
一例示的実装によると、図３に示された方法は、多重接続セッションのどのデータ・ユニットを第１のセルを介して受信すべきか、および多重接続セッションのどのデータ・ユニットを第２のセルを介して受信すべきかについての決定をユーザー・デバイスにより行うステップをさらに含むことができる。
【００４８】
一例示的実装によると、図３に示された方法は、多重接続セッションのためのデータが第２のセルを介して通信されている間に、第１のセルから第３のセルへの第１の接続のハンドオーバーを行う決断をユーザー・デバイスにより下すステップをさらに含むことができる。
【００４９】
一例示的実装によると、図３に示された方法は、多重接続セッションのためのデータが第３のセルを介して通信されている間に、第２のセルから第４のセルへの第２の接続のハンドオーバーを行う決断をユーザー・デバイスにより下すステップをさらに含むことができる。
【００５０】
一例示的実装によると、図３に示された方法は、多重接続セッションのためのデータが第２のセルを介して通信されている間に、第１のセルから第３のセルへの第１の接続のハンドオーバーを行う決断をコア・ネットワークにより下すステップをさらに含むことができる。
【００５１】
一例示的実装によると、図３に示された方法は、ユーザー・デバイスへの配送のために第１のセルにおいて利用可能である多重接続セッションの１つ以上のデータ・ユニットを識別する第１のメッセージの、第１のセルからの受信を制御するステップをさらに含むことができ、第１のデータ・ユニット群を受信する要求のユーザー・デバイスによる第１のセルへの送信を制御するステップは、第１のセルにおいて利用可能であるデータ・ユニットの１つ以上を受信する要求の、ユーザー・デバイスによる第１のセルへの送信を制御するステップを含む。
【００５２】
一例示的実装によると、図３に示された方法は、ユーザー・デバイスへの配送のために第２のセルにおいて利用可能である多重接続セッションの１つ以上のデータ・ユニットを識別する第２のメッセージの、第２のセルからの受信を制御するステップをさらに含むことができ、第２のデータ・ユニット群を受信する要求のユーザー・デバイスによる第２のセルへの送信を制御するステップは、第２のセルにおいて利用可能であるデータ・ユニットの１つ以上を受信する要求の、ユーザー・デバイスによる第２のセルへの送信を制御するステップを含む。
【００５３】
一例示的実装によると、図３に示された方法は、第１のセルおよび第１の接続を介したコア・ネットワークの多重接続エンティティからの第１のデータ・ユニット群の少なくともいくつかの、ユーザー・デバイスによる受信を制御するステップと、第２のセルおよび第２の接続を介した多重接続エンティティからの第２のデータ・ユニット群の少なくともいくつかの、ユーザー・デバイスによる受信を制御するステップと、受信データ・ユニットの１つ以上をユーザー・デバイスにより順序変更するステップと、をさらに含むことができる。
【００５４】
一例示的実装によると、図３に示された方法は、第１のデータ・ユニット群の１つ以上のデータ・ユニットおよび第２のデータ・ユニット群の１つ以上のデータ・ユニットの受信を確認する肯定応答の、ユーザー・デバイスから第１のセルへの送信を制御するステップ、をさらに含むことができる。
【００５５】
一例示的実装によると、肯定応答の送信を制御するステップは、第１のデータ・ユニット群の１つ以上のデータ・ユニットの受信を確認する第１のメッセージの、ユーザー・デバイスから第１のセルへの送信を制御するステップと、第２のデータ・ユニット群の１つ以上のデータ・ユニットの受信を確認する第２のメッセージの、ユーザー・デバイスから第１のセルへの送信を制御するステップとを含むことができる。
【００５６】
一例示的実装によると、図３に示された方法は、第１のデータ・ユニット群の１つ以上のデータ・ユニットおよび第２のデータ・ユニット群の１つ以上のデータ・ユニットの受信を確認する肯定応答の、ユーザー・デバイスから第２のセルへの送信を制御するステップをさらに含むことができる。
【００５７】
一例示的実装によると、図３に示された方法は、第２のデータ・ユニット群の１つ以上のデータ・ユニットをユーザー・デバイスが受信したことを確認する第１の肯定応答の、ユーザー・デバイスから第２のセルへの送信を制御するステップと、第２のデータ・ユニット群の１つ以上のデータ・ユニットをユーザー・デバイスが受信したことを確認する第２の肯定応答の、第２のセルまたはコア・ネットワークから第１のセルへの送信を制御するステップとをさらに含むことができる。
【００５８】
一例示的実装によると、図３に示された方法は、第１のセルに結びついた状態をユーザー・デバイスにより検出するステップと、状態の検出に応答した、ユーザー・デバイスによる第２のセルに対する、第１のデータ・ユニット群の少なくともいくつかを第２のセルから受信する要求の送信を制御するステップとをさらに含むことができる。
【００５９】
一例示的実装において、状態は、ユーザー・デバイスにより第１のセルから受信された信号の、閾値よりも低い信号品質、ユーザー・デバイスと第１のセルの間の第１の接続の、ユーザー・デバイスによって検出された不具合、第１のセルから第３のセルへのハンドオーバーまたはセル再選択を行うことの、ユーザー・デバイスまたはコア・ネットワークのいずれかによる決断、および第１のセルに対する接続再確立を行うことの、ユーザー・デバイスまたはコア・ネットワークのいずれかによる決断、のうちの少なくとも１つを含むことができる。
【００６０】
一例示的実装によると、図３に示された方法は、第１のセルに結びついたエラー状態を検出するステップと、第１のデータ・ユニット群の１つ以上のデータ・ユニットを第２のセルから再伝送する要求の、ユーザー・デバイスから第２のセルまでの送信を制御するステップとをさらに含むことができる。
【００６１】
一例示的実装によると、図３に示された方法は、第１のセルに結びついた状態を検出するステップと、第１のデータ・ユニット群の少なくともいくつかを第２のセルから受信する要求の、ユーザー・デバイスによる第２のセルへの送信を制御するステップと、第２のセルがユーザー・デバイスに対して多重接続セッションの全てのデータを送信する間、第１のセルから第３のセルへの第１の接続のためのハンドオーバーまたはセル再選択を行うステップと、多重接続セッションの第３のデータ・ユニット群を受信する要求の、第３のセルへのハンドオーバーまたはセル再選択が完了した後のユーザー・デバイスによる第３のセルへの送信を制御するステップと、をさらに含むことができる。
【００６２】
一例示的実装によると、装置は、少なくとも１つのプロセッサとコンピュータ命令を含む少なくとも１つのメモリとを含むことができ、このコンピュータ命令は、少なくとも１つのプロセッサにより実行されたとき、装置に、ユーザー・デバイスにより無線ネットワーク内で多重接続セッションを確立させ、多重接続セッションが、ユーザー・デバイスと第１のセルとの間の第１の接続およびユーザー・デバイスと第２のセルとの間の第２の接続を含み、第１の接続および第２の接続は独立しており、多重接続セッションのための１つ以上のダウンリンク・データ・ユニットが第１のセルおよび第２のセルの両方により受信され、多重接続セッションの第１のデータ・ユニット群を受信する要求のユーザー・デバイスによる第１のセルへの送信を制御させ、多重接続セッションの第２のデータ・ユニット群を受信する要求の、ユーザー・デバイスによる第２のセルへの送信を制御させ、第１のデータ・ユニット群が第２のデータ・ユニット群と異なっている。
【００６３】
一例示的実装によると、コンピュータ命令は、少なくとも１つのプロセッサにより実行された場合に、さらに装置に、第１のセルに結びついた状態をユーザー・デバイスにより検出させ、状態の検出に応答した、ユーザー・デバイスによる第２のセルに対する、第１のデータ・ユニット群の少なくともいくつかを第２のセルから受信する要求の送信を制御させる。
【００６４】
一例示的実装によると、状態は、第１のセルからユーザー・デバイスにより受信された信号の、閾値よりも低い信号品質、ユーザー・デバイスと第１のセルの間の第１の接続の、ユーザー・デバイスによって検出された不具合、第１のセルから第３のセルへのハンドオーバーまたはセル再選択を行うことの、ユーザー・デバイスまたはコア・ネットワークのいずれかによる決断、および第１のセルに対する接続再確立を行うことの、ユーザー・デバイスまたはコア・ネットワークのいずれかによる決断、のうちの少なくとも１つを含むことができる。
【００６５】
一例示的実装によると、コンピュータ・プログラム・プロダクトは、コンピュータ可読記憶媒体を含み、この実行可能なコードを記憶することができ、この実行可能なコードは、少なくとも１つのデータ処理装置によって実行されたとき、少なくとも１つのデータ処理装置に、ユーザー・デバイスのために無線ネットワーク内で多重接続セッションを確立するステップであって、多重接続セッションが、ユーザー・デバイスと第１のセルとの間の第１の接続およびユーザー・デバイスと第２のセルとの間の第２の接続を含み、第１の接続および第２の接続は独立しており、多重接続セッションのための１つ以上のダウンリンク・データ・ユニットが第１のセルおよび第２のセルの両方により受信される、ステップと、多重接続セッションの第１のデータ・ユニット群を受信する要求のユーザー・デバイスによる第１のセルへの送信を制御するステップと、多重接続セッションの第２のデータ・ユニット群を受信する要求の、ユーザー・デバイスによる第２のセルへの送信を制御するステップであって、第１のデータ・ユニット群が第２のデータ・ユニット群と異なっている、ステップと、を含む方法を実施させるように構成されている。
【００６６】
図４は、一例示的実装に係るコア・ネットワークにおける多重接続アンカーの動作を示す流れ図である。動作４１０は、コア・ネットワークの多重接続エンティティにより、無線ネットワーク内で多重接続エンティティとユーザー・デバイス間の多重接続セッションを確立するステップであって、多重接続セッションが、少なくとも第１のセルを介したユーザー・デバイスと多重接続エンティティとの間の第１の接続、および第２のセルを介したユーザー・デバイスと多重接続セッションとの間の第２の接続を含み、第１の接続および第２の接続は独立している、ステップとを含むことができる。動作４２０は、多重接続セッションの複数のダウンリンク・データ・ユニットの多重接続エンティティによる受信を制御するステップを含むことができる。動作４３０は、多重接続セッションの各ダウンリンク・データ・ユニットのための多重接続セッション・シーケンス数を、多重接続エンティティにより提供するステップを含むことができる。そして動作４４０は、第１のセルおよび第２のセルの両方に対する多重接続セッションの複数のダウンリンク・データ・ユニットのコピーの多重接続エンティティによる送信を制御するステップを含むことができる。
【００６７】
一例示的実装によると、図４の方法において、送信を制御するステップは、多重接続セッションが第１のセルおよび第２のセルを含むように構成される一方で、第１のセルおよび第２のセルの両方に対する多重接続セッションの全てのダウンリンク・データ・ユニットのコピーの送信を制御するステップを含むことができる。
【００６８】
一例示的実装によると、図４に示された方法は、ユーザー・デバイスが多重接続セッションの第１の接続のために第１のセルから第３のセルへのハンドオーバーまたはセル再選択を行った後に、第１のセルに対する多重接続セッションのためのダウンリンク・データ・ユニットの送信を制御するステップを多重接続エンティティにより中断するステップと、第３のセルからの要求に基づいた第３のセルに対する多重接続セッションのダウンリンク・データ・ユニットの少なくともいくつかのコピーの送信を、多重接続エンティティにより制御するステップと、を行うステップをさらに含むことができる。
【００６９】
一例示的実装によると、図４に示された方法において、多重接続セッションのダウンリンク・データ・ユニットの各々は、ユーザー・デバイスからの１つ以上の要求に基づいて第１のセルまたは第２のセルのいずれかからユーザー・デバイスへと転送される。
【００７０】
一例示的実装によると、図４に示された方法は、第１のセルを介して送信されたユーザー・デバイスからの多重接続セッションの１つ以上のアップリンクデータ・ユニットおよび、第２のセルを介して送信されたユーザー・デバイスからの多重接続セッションの１つ以上のアップリンクデータ・ユニットの、多重接続エンティティによる受信を制御するステップであって、受信したアップリンクデータ・ユニットの各々が多重接続セッション・シーケンス数を含む、ステップと、受信したデータ・ユニットの各々について多重接続セッション・シーケンス数に基づき、受信したアップリンクデータ・ユニットを多重接続エンティティによって順序変更するステップと、をさらに含むことができる。
【００７１】
一例示的実装によると、図４に示された方法において、第１の接続は、ユーザー・デバイスと第１のセルとの間の第１の無線接続および、第１のセルと多重接続エンティティとの間の第１のバックホール接続を含むことができ、第２の接続は、ユーザー・デバイスと第２のセルの間の第２の無線接続および、第２のセルと多重接続エンティティの間の第２のバックホール接続を含むことができる。
【００７２】
一例示的実装によると、装置は、少なくとも１つのプロセッサとコンピュータ命令を含む少なくとも１つのメモリとを含むことができ、このコンピュータ命令は、少なくとも１つのプロセッサにより実行されたとき装置に、無線ネットワーク内でコア・ネットワークの多重接続エンティティとユーザー・デバイスとの間でコア・ネットワークの多重接続エンティティにより多重接続セッションを確立させ、この多重接続セッションは少なくとも、第１のセルを介したユーザー・デバイスと多重接続エンティティとの間の第１の接続および第２のセルを介したユーザー・デバイスと多重接続セッションとの間の第２の接続を含み、第１の接続と第２の接続は独立しており、多重接続セッションの複数のダウンリンク・データ・ユニットの、多重接続エンティティによる受信を制御させ、多重接続セッションの各ダウンリンク・データ・ユニットのための多重接続セッション・シーケンス数を、多重接続エンティティにより提供させ、第１のセルおよび第２のセルの両方に対する、多重接続セッションの複数のダウンリンク・データ・ユニットのコピーの、多重接続エンティティによる送信を制御させる。
【００７３】
一例示的実装によると、コンピュータのためのコンピュータ・プログラム・プロダクト（例えばメモリ５０６、図５）は、図３および４のいずれかにおいて説明されている方法を実施することおよび／または図３または４の方法に基づいて説明されるさらなる例示的実装を行うことを含めた、本明細書中に記載の例示的実装、方法またはステップのいずれかのステップを実施するため、またはコンピュータ・プログラム・プロダクトのソフトウェア・コード部分がコンピュータ上でランされているときに以下に列挙する方法クレームのいずれかを行うためのソフトウェア・コード部分を含むことができる。
【００７４】
図５は、一例示的実装に係る無線局（例えばＢＳまたはユーザー・デバイス５００のブロック図である。無線局５００は、例えば２つのＲＦ（無線周波数）すなわち無線送受信機５０２Ａ、５０２Ｂを含むことができ、ここで、各無線送受機は、信号を伝送するための送信機と信号を受信するための受信機を含む。無線局は同様に、命令またはソフトウェアを実行し信号の伝送および受信を制御するためのプロセッサまたは制御ユニット／エンティティ（コントローラ）５０４およびデータおよび／または命令を記憶するためのメモリ５０６を含むこともできる。
【００７５】
プロセッサ５０４は同様に、決断または決定を下し、伝送のためにクレーム、パケットまたはメッセージを生成し、さらなる処理および本明細書中に記載の他のタスクまたは機能のために受信フレームまたはメッセージをデコードすることもできる。例えばベースバンド・プロセッサであり得るプロセッサ５０４は、無線送受信機５０２（５０２Ａまたは５０２Ｂ）を介した伝送のためにメッセージ、パケット、フレームまたは他の信号を生成できる。プロセッサ５０４は、無線ネットワーク上での信号またはメッセージの伝送を制御することができ、（例えば無線送受信機５０２によりダウンコンバートされた後）、無線ネットワークを介して信号またはメッセージなどの受信を制御することができる。プロセッサ５０４は、プログラミング可能であり、上述のタスクまたは方法の１つ以上などの上述のさまざまなタスクおよび機能を行うために、メモリ内または他のコンピュータ媒体上に記憶されたソフトウェアまたは他の命令を実行する能力を有することができる。プロセッサ５０４は、例えば、ハードウェア、プログラマブル論理、ソフトウェアまたはファームウェアを実行するプログラマブル・プロセッサ、および／またはこれらの任意の組合せである（またはこれらを含む）ことができる。他の専門用語を用いると、プロセッサ５０４および送受信機５０２を合わせて、例えば無線送信機／受信機システムとみなすことができる。
【００７６】
さらに、図５を参照すると、コントローラ（またはプロセッサ）５０８は、ソフトウェアおよび命令を実行でき、局５００のための全体的制御を提供でき、入／出力デバイス（例えばディスプレー、キーパッド）の制御などの図５に示されていない他のシステムのための制御を提供することができ、かつ／または、無線局５００上で提供される可能性のある１つ以上のアプリケーションのためのソフトウェア、例えばＥメールプログラム、オーディオ／ビデオ・アプリケーション、ワード・プロセッサ、ボイス・オーバーＩＰアプリケーションまたは他のアプリケーションまたはソフトウェア、を実行することができる。
【００７７】
さらに、コントローラまたはプロセッサにより実行されたとき、プロセッサ５０４または他のコントローラまたはプロセッサが上述の機能またはタスクの１つ以上を行う結果となる可能性のある記憶された命令を含む記憶媒体を提供することも可能である。
【００７８】
別の例示的実装によると、ＲＦまたは無線送受信機５０２Ａ／５０２Ｂは、信号またはデータを受信し、かつ／または信号またはデータを伝送または送信することができる。プロセッサ５０４（および場合によっては送受信機５０２Ａ／５０２Ｂ）は、信号またはデータを受信、送信、ブロードキャストまたは伝送するために、ＲＦまたは無線送受信機５０２Ａまたは５０２Ｂを制御できる。
【００７９】
装置の一実施例は同様に、ユーザー・デバイスにより無線ネットワーク内で多重接続セッションを確立するための手段であって、多重接続セッションが、ユーザー・デバイスと第１のセルとの間の第１の接続およびユーザー・デバイスと第２のセルとの間の第２の接続を含み、第１の接続および第２の接続は独立しており、多重接続セッションのための１つ以上のダウンリンク・データ・ユニットが第１のセルおよび第２のセルの両方により受信される、手段（５０４、５０２Ａ／５０２Ｂ）と、多重接続セッションの第１のデータ・ユニット群を第１のセルから受信する要求のユーザー・デバイスによる第１のセルへの送信を制御するための手段（５０４、５０２Ａ／５０２Ｂ）と、多重接続セッションの第２のデータ・ユニット群を第２のセルから受信する要求の、ユーザー・デバイスによる第２のセルへの送信を制御するための手段であって、第１のデータ・ユニット群が第２のデータ・ユニット群と異なっている手段（５０４、５０２Ａ／５０２Ｂ）と、を含むこともできる。
【００８０】
一例示的実装によると、装置は、多重接続セッションのどのデータ・ユニットを第１のセルを介して受信すべきか、および多重接続セッションのどのデータ・ユニットを第２のセルを介して受信すべきかについての決定をユーザー・デバイスにより行うための手段（５０４）をさらに含むことができる。
【００８１】
一例示的実装によると、装置は、多重接続セッションのためのデータが第２のセルを介して通信されている間に、第１のセルから第３のセルへの第１の接続のハンドオーバーを行う決断をユーザー・デバイスにより下すための手段（５０４）をさらに含むことができる。
【００８２】
多重接続セッションのためのデータが第３のセルを介して通信されている間に、第２のセルから第４のセルへの第２の接続のハンドオーバーを行う決断をユーザー・デバイスにより下すための手段（５０４）をさらに含むことができる。
【００８３】
一例示的実装によると、装置は、多重接続セッションのためのデータが第２のセルを介して通信されている間に、第１のセルから第３のセルへの第１の接続のハンドオーバーを行う決断をコア・ネットワークにより下すための手段（５０４）をさらに含むことができる。
【００８４】
一例示的実装によると、装置は、ユーザー・デバイスへの配送のために第１のセルにおいて利用可能である多重接続セッションの１つ以上のデータ・ユニットを識別する第１のメッセージの、第１のセルからの受信を制御するための手段（５０４、５０２Ａ／５０２Ｂ）をさらに含むことができ、ここで、第１のデータ・ユニット群を受信する要求のユーザー・デバイスによるこの第１のセルへの送信を制御するための手段（５０４、５０２Ａ／５０２Ｂ）は、第１のセルにおいて利用可能であるデータ・ユニットの１つ以上を受信する要求の、ユーザー・デバイスによる第１のセルへの送信を制御するための手段（５０４、５０２Ａ／５０２Ｂ）を含む。
【００８５】
一例示的実装によると、装置は、ユーザー・デバイスへの配送のために第２のセルにおいて利用可能である多重接続セッションの１つ以上のデータ・ユニットを識別する第２のメッセージの、第２のセルからの受信を制御するための手段（５０４、５０２Ａ／５０２Ｂ）をさらに含むことができ、ここで第２のデータ・ユニット群を受信する要求のユーザー・デバイスによる第２のセルへの送信を制御するための手段（５０４、５０２Ａ／５０２Ｂ）は、第２のセルにおいて利用可能であるデータ・ユニットの１つ以上を受信する要求の、ユーザー・デバイスによる第２のセルへの送信を制御するための手段（５０４、５０２Ａ／５０２Ｂ）を含む。
【００８６】
一例示的実装によると、装置は、第１のセルおよび第１の接続を介したコア・ネットワークの多重接続エンティティからの第１のデータ・ユニット群の少なくともいくつかの、ユーザー・デバイスによる受信を制御するための手段（５０４、５０２Ａ／５０２Ｂ）と、第２のセルおよび第２の接続を介した多重接続エンティティからの第２のデータ・ユニット群の少なくともいくつかの、ユーザー・デバイスによる受信を制御するための手段（５０４、５０２Ａ／５０２Ｂ）と、受信データ・ユニットの１つ以上をユーザー・デバイスにより順序変更するための手段（５０４、５０２Ａ／５０２Ｂ）と、をさらに含むことができる。
【００８７】
一例示的実装によると、装置は、第１のデータ・ユニット群の１つ以上のデータ・ユニットおよび第２のデータ・ユニット群の１つ以上のデータ・ユニットの受信を確認する肯定応答の、ユーザー・デバイスから第１のセルへの送信を制御するための手段（５０４、５０２Ａ／５０２Ｂ）をさらに含むことができる。
【００８８】
一例示的実装によると、肯定応答の送信を制御するための手段（５０４、５０２Ａ／５０２Ｂ）は、第１のデータ・ユニット群の１つ以上のデータ・ユニットの受信を確認する第１のメッセージの、ユーザー・デバイスから第１のセルへの送信を制御するための手段（５０４、５０２Ａ／５０２Ｂ）と、第２のデータ・ユニット群の１つ以上のデータ・ユニットの受信を確認する第２のメッセージの、ユーザー・デバイスから第１のセルへの送信を制御するための手段（５０４、５０２Ａ／５０２Ｂ）とを含むことができる。
【００８９】
一例示的実装によると、装置は、第２のデータ・ユニット群の１つ以上のデータ・ユニットおよび第２のデータ・ユニット群の１つ以上のデータ・ユニットの受信を確認する肯定応答の、ユーザー・デバイスから第２のセルへの送信を制御するための手段（５０４、５０２Ａ／５０２Ｂ）をさらに含むことができる。
【００９０】
一例示的実装によると、装置は、第２のデータ・ユニット群の１つ以上のデータ・ユニットをユーザー・デバイスが受信したことを確認する第１の肯定応答の、ユーザー・デバイスから第２のセルへの送信を制御するため、および第２のデータ・ユニット群の１つ以上のデータ・ユニットをユーザー・デバイスが受信したことを確認する第２の肯定応答の、第２のセルまたはコア・ネットワークから第１のセルへの送信を制御するための手段（５０４、５０２Ａ／５０２Ｂ）をさらに含むことができる。
【００９１】
一例示的実装によると、装置は、第１のセルに結びついた状態をユーザー・デバイスにより検出するための手段（５０４、５０２Ａ／５０２Ｂ）と、状態の検出に応答した、ユーザー・デバイスによる第２のセルに対する、第１のデータ・ユニット群の少なくともいくつかを第２のセルから受信する要求の送信を制御するための手段（５０４、５０２Ａ／５０２Ｂ）とをさらに含むことができる。
【００９２】
一例示的実装において状態は、第１のセルからユーザー・デバイスにより受信された信号の、閾値よりも低い信号品質、ユーザー・デバイスと第１のセルの間の第１の接続の、ユーザー・デバイスによって検出された不具合、第１のセルから第３のセルへのハンドオーバーまたはセル再選択を行うことの、ユーザー・デバイスまたはコア・ネットワークのいずれかによる決断、および第１のセルに対する接続再確立を行うることの、ユーザー・デバイスまたはコア・ネットワークのいずれかによる決断のうちの少なくとも１つを含むことができる。
【００９３】
一例示的実装によると、装置は、第１のセルに結びついたエラー状態を検出するため、および第１のデータ・ユニット群の１つ以上のデータ・ユニットを第２のセルから再伝送する要求の、ユーザー・デバイスから第２のセルまでの送信を制御するための手段（５０４、５０２Ａ／５０２Ｂ）をさらに含むことができる。
【００９４】
一例示的実装によると、装置は、第１のセルに結びついた状態を検出するため、および第１のデータ・ユニット群の少なくともいくつかを第２のセルから受信する要求の、ユーザー・デバイスによる第２のセルへの送信を制御するための手段（５０４、５０２Ａ／５０２Ｂ）、第２のセルがユーザー・デバイスに対して多重接続セッションの全てのデータを送信する間、第１のセルから第３のセルへの第１の接続のためのハンドオーバーまたはセル再選択を行うための手段（５０４、５０２Ａ／５０２Ｂ）、および多重接続セッションの第３のデータ・ユニット群を受信する要求の、第３のセルへのハンドオーバーまたはセル再選択が完了した後のユーザー・デバイスによる第３のセルへの送信を制御するための手段（５０４、５０２Ａ／５０２Ｂ）をさらに含むことができる。
【００９５】
装置の別の実施例は、コア・ネットワークの多重接続エンティティにより、無線ネットワーク内で多重接続エンティティとユーザー・デバイス間の多重接続セッションを確立するための手段であって、多重接続セッションが、少なくとも第１のセルを介したユーザー・デバイスと多重接続エンティティとの間の第１の接続、および第２のセルを介したユーザー・デバイスと多重接続セッションとの間の第２の接続を含み、第１の接続および第２の接続は独立している手段（５０４、５０２Ａ／５０２Ｂ）と、多重接続セッションの複数のダウンリンク・データ・ユニットの多重接続エンティティによる受信を制御するための手段（５０４、５０２Ａ／５０２Ｂ）と、多重接続セッションの各ダウンリンク・データ・ユニットのための多重接続セッション・シーケンス数を、多重接続エンティティにより提供するための手段（５０４、５０２Ａ／５０２Ｂ）と、第１のセルおよび第２のセルの両方に対する多重接続セッションの複数のダウンリンク・データ・ユニットのコピーの多重接続エンティティによる送信を制御するための手段（５０４、５０２Ａ／５０２Ｂ）とを含むことができる。
【００９６】
ユーザー・デバイスが多重接続セッションの第１の接続のために第１のセルから第３のセルへのハンドオーバーまたはセル再選択を行った後に、第１のセルに対する多重接続セッションのためのダウンリンク・データ・ユニットの送信を制御するステップを多重接続エンティティにより中断するステップと、第３のセルからの要求に基づいた第３のセルに対する多重接続セッションのダウンリンク・データ・ユニットの少なくともいくつかのコピーの送信を、多重接続エンティティにより制御するステップと、行うための手段（５０４、５０２Ａ／５０２Ｂ）をさらに含むことができる。
【００９７】
装置の一例示的実装によると、多重接続セッションのダウンリンク・データ・ユニットの各々をユーザー・デバイスからの１つ以上の要求に基づいて第１のセルまたは第２のセルのいずれかからユーザー・デバイスへと転送することができる。
【００９８】
一例示的実装によると、装置は、第１のセルを介して送信されたユーザー・デバイスからの多重接続セッションの１つ以上のアップリンクデータ・ユニットおよび、第２のセルを介して送信されたユーザー・デバイスからの多重接続セッションの１つ以上のアップリンクデータ・ユニットの、多重接続エンティティによる受信を制御するための手段であって、受信したアップリンクデータ・ユニットの各々が多重接続セッション・シーケンス数を含む、手段（５０４、５０２Ａ／５０２Ｂ）と、受信したデータ・ユニットの各々について多重接続セッション・シーケンス数に基づき、受信したアップリンクデータ・ユニットを多重接続エンティティによって順序変更するための手段（５０４、５０２Ａ／５０２Ｂ）と、をさらに含むことができる。
【００９９】
多重接続の一例示的実装によると、第１の接続は、ユーザー・デバイスと第１のセルとの間の第１の無線接続および、第１のセルと多重接続エンティティとの間の第１のバックホール接続を含むことができ、第２の接続は、ユーザー・デバイスと第２のセルの間の第２の無線接続および、第２のセルと多重接続エンティティの間の第２のバックホール接続を含むことができる。
【０１００】
本明細書中に記載のさまざまな技術の実装は、デジタル電子回路内または、コンピュータ・ハードウェア、ファームウェア、ソフトウェア内、またはそれらの組合せの形で実現可能である。実装は、例えば、プログラマブル・プロセッサ、１つのコンピュータまたは多数のコンピュータなどのデータ処理装置による実行のため、またはこれらの装置の動作を制御するために、例えばマシン可読記憶媒体内または伝搬された信号内などの情報キャリヤ内で有形具現化されるコンピュータ・プログラムであるコンピュータ・プログラム・プロダクトとして実現可能である。実装は同様に、非一時的媒体であり得るコンピュータ可読媒体またはコンピュータ可読記憶媒体上で提供することもできる。さまざまな技術の実装は、同様に、一時的信号または媒体を介して提供された実装および／またはインターネットまたは他のネットワーク、つまり有線ネットワークおよび／または無線ネットワークのいずれかを介してダウンロードできるプログラムおよび／またはソフトウェア実装とも含むことができる。さらに、実装は、マシン型通信（ＭＴＣ）を介してと同様モノのインターネット（ＩＯＴ）を介しても提供可能である。
【０１０１】
コンピュータ・プログラムは、ソース・コード形態、オブジェクト・コード形態、またはいくつかの中間形態をとることができ、プログラムを搬送する能力をもつ任意のエンティティまたはデバイスであることのできるいくつかの種類のキャリヤ、配布媒体またはコンピュータ可読媒体中に記憶させることができる。このようなキャリヤは、記録媒体、コンピュータメモリ、読取り専用メモリ、光電および／または電気キャリヤ信号、電気通信信号、およびソフトウェア配布パッケージなどを含む。必要とされる処理出力に応じて、コンピュータ・プログラムを、単一の電子デジタル・コンピュータ内で実行することもでき、または多くのコンピュータの間で分配することもできる。
【０１０２】
さらに、本明細書中に記載のさまざまな技術の実装は、サイバー物理システム（ＣＰＳ）（物理的エンティティを制御する協働する計算要素のシステム）を使用することができる。ＣＰＳは、異なる場所で物理的オブジェクト内に埋込まれる相互接続された莫大な量のＩＣＴデバイス（センサー、アクチュエータ、プロセッサ  マイクロコントローラー．．．）の実装および運用を可能にすることができる。問題の物理システムが固有の移度性を有している移動体サイバー物理システムは、サイバー物理システムの下位カテゴリーである。移動体物理システムの例としては、移動ロボット工学、および人間または動物によって輸送される電子機器が含まれる。スマートホンの人気の上昇により、移動体サイバー物理システムの分野に対する関心が高まってきた。したがって、本明細書中に記載の技法の実装を、これらの技術の１つ以上を介して提供することができる。
【０１０３】
上述のコンピュータ・プログラムなどのコンピュータ・プログラムは、コンパイラ型言語またはインタープリタ型言語を含めた任意の形態のプログラミング言語で書くことができ、スタンドアロン・プログラムとしてまたはコンピュータ環境内で使用に好適なモジュール、コンポーネント、サブルーチンまたは他のユニットまたはその一部としてを含め、任意の形態で展開可能である。コンピュータ・プログラムは、１つのサイトで１つのコンピュータ上または多数のコンピュータ上で実行されるように展開され得、または多数のサイトを横断して分配され、通信ネットワークによって相互接続され得る。
【０１０４】
方法ステップは、入力データに対し動作し出力を生成することによって機能を行うために、１つのコンピュータ・プログラムまたは複数のコンピュータ・プログラム部分を実行する１つ以上のプログラマブル・プロセッサによって行うことができる。方法ステップは同様に、例えばＦＰＧＡ（フィールド・プログラマブル・ゲート・アレイ）またはＡＳＩＣ（特定用途向け集積回路）などの特殊用途論理回路によっても行うことができ、装置をこれらの論理回路として実装することもできる。
【０１０５】
コンピュータ・プログラムの実行に好適なプロセッサは、例えば汎用および特殊用途の両方のマイクロプロセッサ、およびあらゆる種類のデジタル・コンピュータ、チップまたはチップセットの任意の１つ以上のプロセッサを含むことができる。概して、プロセッサは、読取り専用メモリまたはランダム・アクセス・メモリまたはその両方から命令およびデータを受信する。コンピュータの要素は、命令を実行するための少なくとも１つのプロセッサおよび命令およびデータを記憶するための１つ以上のメモリ・デバイスを含むことができる。概して、コンピュータは同様に、データを記憶するための１つ以上の大容量記憶デバイス、例えば磁気ディスク、光磁気ディスクまたは光ディスクを含むか、またはこれらのデバイスからデータを受信するかまたはこれらのデバイスにデータを転送するように作動的に結合されることができる。コンピュータ・プログラム命令およびデータを具現化するのに好適な情報キャリヤは、一例として、半導体メモリ・デバイス、例えばＥＰＲＯＭ、ＥＥＰＲＯＭ、およびフラッシュ・メモリ・デバイス、磁気ディスク、例えば内部ハード・ディスクまたはリムーバブル・ディスク、光磁気ディスク、およびＣＤ−ＲＯＭおよびＤＶＤ−ＲＯＭディスクを含めた、全ての形態の不揮発性メモリを含む。プロセッサおよびメモリを、特殊用途論理回路によって補足するか、または、この回路内に組込むことができる。
【０１０６】
ユーザーとのインタラクションを提供するためには、実装は、ユーザーに対して情報を表示するための、例えば陰極線管（ＣＲＴ）または液晶表示（ＬＣＤ）モニターなどのディスプレー・デバイスおよびユーザーがコンピュータに入力を提供できるようにするマウスまたはトラックボールなどのポインティング・デバイスおよびキーボードなどのユーザー・インターフェースを有するコンピュータ上で実現可能である。ユーザーとのインタラクションを提供するためには、他の種類のデバイスを使用することも同様に可能である。すなわち、例えば、ユーザーに提供されるフィードバックは、任意の形態の感覚フィードバック、例えば視覚フィードバック、聴覚フィードバックまたは触覚フィードバックであり得、ユーザーからの入力は、音響、音声または触覚入力を含む、任意の形態で受信可能である。
【０１０７】
実装は、例えばデータ・サーバーなどのバック・エンド・コンポーネントを含むか、またはアプリケーション・サーバーなどのミドルウェア・コンポーネントを含むか、またはフロント・エンド・コンポーネントを含む計算システム、例えばグラフィカル・ユーザーインターフェースを有するクライアント・コンピュータ、またはユーザーが１つの実装とインタラクトできるようにするＷｅｂブラウザ、またはこのようなバック・エンド、ミドルウェアまたはフロント・エンド・コンポーネントの任意の組合せの形で実現可能である。コンポーネントは、例えば通信ネットワークなどの任意の形態のデジタル・データ通信または通信媒体により相互接続することができる。通信ネットワークの例としては、ローカル・エリア・ネットワーク（ＬＡＮ）および広域ネットワーク（ＷＡＮ）、例えばインターネットがある。
【０１０８】
本明細書中に記載されているように、説明した実装のいくつかの特徴が例示されてきたが、当業者は、多くの修正、置換、変更および均等物を発想する。したがって、添付のクレームは、このような修正および変更の全てをさまざまな実施形態の趣旨の範囲内に入るものとしてカバーするように意図されたものである、ということを理解すべきである。
【図１】
2017526302.tif 000003
【図２】
2017526302.tif 000004
【図３】
2017526302.tif 000005
【図４】
2017526302.tif 000006
【図５】
2017526302.tif 000007
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
ユーザー・デバイスにより、無線ネットワーク内で多重接続セッションを確立するステップであって、前記多重接続セッションが、前記ユーザー・デバイスと第１セルとの間の第１接続、および、前記ユーザー・デバイスと第２セルとの間の第２接続を含み、前記第１接続および前記第２接続は独立しており、前記多重接続セッションのための１つ以上のダウンリンク・データ・ユニットが、前記第１セルおよび前記第２セルの両方により受信される、ステップと、
前記第１セルから前記多重接続セッションの第１データ・ユニット群を受信する要求の前記ユーザー・デバイスによる前記第１セルへの送信を制御するステップと、
前記第２セルから前記多重接続セッションの第２データ・ユニット群を受信する要求の、前記ユーザー・デバイスによる前記第２セルへの送信を制御するステップであって、前記第１データ・ユニット群は、前記第２データ・ユニット群と異なる、ステップと、
を含む方法。
【請求項２】
前記多重接続セッションのどのデータ・ユニットを、前記第１セルを介して受信すべきか、および、前記多重接続セッションのどのデータ・ユニットを、前記第２セルを介して受信すべきか、の決定を前記ユーザー・デバイスにより行うステップ、をさらに含む、請求項１に記載の方法。
【請求項３】
前記ユーザー・デバイスにより、前記多重接続セッションのためのデータが前記第２セルを介して通信されている間に、前記第１セルから第３セルへの前記第１接続のハンドオーバーを実行する決定を行うステップ、をさらに含む、請求項１に記載の方法。
【請求項４】
前記ユーザー・デバイスにより、前記多重接続セッションのためのデータが前記第３セルを介して通信されている間に、前記第２セルから第４セルへの前記第２接続のハンドオーバーを実行する決定を行うステップ、をさらに含む、請求項３に記載の方法。
【請求項５】
前記ユーザー・デバイスへの配送のために前記第１セルにおいて利用可能である前記多重接続セッションの１つ以上のデータ・ユニットを識別する第１メッセージの、前記第１セルからの受信を制御するステップをさらに含み、
第１データ・ユニット群を受信する要求の前記ユーザー・デバイスによる前記第１セルへの送信を制御する前記ステップは、前記第１セルにおいて利用可能である前記データ・ユニットの１つ以上を受信する要求の、前記ユーザー・デバイスによる前記第１セルへの送信を制御するステップを含む、
請求項１に記載の方法。
【請求項６】
前記ユーザー・デバイスへの配送のために前記第２セルにおいて利用可能である前記多重接続セッションの１つ以上のデータ・ユニットを識別する第２メッセージの、前記第２セルからの受信を制御するステップをさらに含み、
第２データ・ユニット群を受信する要求の前記ユーザー・デバイスによる前記第２セルへの送信を制御する前記ステップは、前記第２セルにおいて利用可能である前記データ・ユニットの１つ以上を受信する要求の、前記ユーザー・デバイスによる前記第２セルへの送信を制御するステップを含む、
請求項１に記載の方法。
【請求項７】
前記第１セルおよび前記第１接続を介したコア・ネットワークの多重接続エンティティからの前記第１データ・ユニット群の少なくともいくつかの、前記ユーザー・デバイスによる受信を制御するステップと、
前記第２セルおよび前記第２接続を介した前記多重接続エンティティからの前記第２データ・ユニット群の少なくともいくつかの、前記ユーザー・デバイスによる受信を制御するステップと、
受信された前記ダウンリンク・データ・ユニットの１つ以上を前記ユーザー・デバイスにより順序変更するステップと、
をさらに含む、請求項１に記載の方法。
【請求項８】
前記第１データ・ユニット群の１つ以上のデータ・ユニット、および、前記第２データ・ユニット群の１つ以上のデータ・ユニットの受信を確認する肯定応答の、前記ユーザー・デバイスから前記第１セルへの送信を制御するステップ、
をさらに含む、請求項１に記載の方法。
【請求項９】
前記肯定応答の送信を制御する前記ステップは、
前記第１データ・ユニット群の１つ以上のデータ・ユニットの受信を確認する第１メッセージの、前記ユーザー・デバイスから前記第１セルへの送信を制御するステップと、
前記第２データ・ユニット群の１つ以上のデータ・ユニットの受信を確認する第２メッセージの、前記ユーザー・デバイスから前記第１セルへの送信を制御するステップと、を含む、
請求項８に記載の方法。
【請求項１０】
前記第１データ・ユニット群の１つ以上のデータ・ユニット、および、前記第２データ・ユニット群の１つ以上のデータ・ユニットの受信を確認する肯定応答の、前記ユーザー・デバイスから前記第２セルへの送信を制御するステップをさらに含む、
請求項１に記載の方法。
【請求項１１】
前記第２データ・ユニット群の１つ以上のデータ・ユニットを前記ユーザー・デバイスが受信したことを確認する第１肯定応答の、前記ユーザー・デバイスから前記第２セルへの送信を制御するステップと、
前記第２データ・ユニット群の前記１つ以上のデータ・ユニットを前記ユーザー・デバイスが受信したことを確認する第２肯定応答の、前記第２セルまたはコア・ネットワークから前記第１セルへの送信を制御するステップと、
をさらに含む、請求項１に記載の方法。
【請求項１２】
前記第１セルに結びついた状態をユーザー・デバイスにより検出するステップと、
前記状態の検出に応答して、前記第２セルから前記第１データ・ユニット群の少なくともいくつかを受信する要求の、前記ユーザー・デバイスによる前記第２セルへの送信を制御するステップと、
をさらに含む、請求項１に記載の方法。
【請求項１３】
前記状態は、
前記ユーザー・デバイスにより前記第１セルから受信された信号の、閾値よりも低い信号品質、
前記ユーザー・デバイスと前記第１セルの間の前記第１接続の、前記ユーザー・デバイスによって検出された不具合、
前記第１セルから第３セルへのハンドオーバーまたはセル再選択を実行することの、前記ユーザー・デバイスまたはコア・ネットワークのいずれかによる決定、および、
前記第１セルへの接続再確立を実行することの、前記ユーザー・デバイスまたはコア・ネットワークのいずれかによる決定、
のうちの少なくとも１つを含む、
請求項１２に記載の方法。
【請求項１４】
前記第１セルに結びついたエラー状態を検出するステップと、
前記第１データ・ユニット群の１つ以上のデータ・ユニットを前記第２セルから再伝送する要求の、前記ユーザー・デバイスから前記第２セルへの送信を制御するステップと、
をさらに含む、請求項１に記載の方法。
【請求項１５】
前記第１セルに結びついた状態を検出するステップと、
前記第１データ・ユニット群の少なくともいくつかを前記第２セルから受信する要求の、前記ユーザー・デバイスによる前記第２セルへの送信を制御するステップと、
前記第２セルが前記ユーザー・デバイスへ前記多重接続セッションの全てのデータを送信する間、前記第１セルから第３セルへの前記第１接続のためのハンドオーバーまたはセル再選択を実行するステップと、
前記多重接続セッションの第３データ・ユニット群を受信する要求の、前記第３セルへのハンドオーバーまたはセル再選択が完了した後の前記ユーザー・デバイスによる前記第３セルへの送信を制御するステップと、
をさらに含む、請求項１に記載の方法。
【請求項１６】
少なくとも１つのプロセッサと、コンピュータ命令を含む少なくとも１つのメモリと、を備える装置であって、
前記コンピュータ命令は、前記少なくとも１つのプロセッサにより実行されたとき、
前記装置に、
ユーザー・デバイスのために無線ネットワーク内で多重接続セッションを確立させ、ここで、前記多重接続セッションが、前記ユーザー・デバイスと第１セルとの間の第１接続、および、前記ユーザー・デバイスと第２セルとの間の第２接続を含み、前記第１接続および前記第２接続は独立しており、前記多重接続セッションのための１つ以上のダウンリンク・データ・ユニットが前記第１セルおよび前記第２セルの両方により受信され、
前記多重接続セッションの第１データ・ユニット群を受信する要求の前記ユーザー・デバイスによる前記第１セルへの送信を制御させ、
前記多重接続セッションの第２データ・ユニット群を受信する要求の、前記ユーザー・デバイスによる前記第２セルへの送信を制御させ、ここで、第１データ・ユニット群が第２データ・ユニット群と異なっている、
装置。
【請求項１７】
前記コンピュータ命令は、前記少なくとも１つのプロセッサにより実行されたときに、前記装置に、さらに、
前記第１セルに結びついた状態をユーザー・デバイスにより検出させ、
前記状態の検出に応答して、前記第２セルから、前記第１データ・ユニット群の少なくともいくつかを受信する要求前記ユーザー・デバイスによる前記第２セルへの送信を制御させる、
請求項１６に記載の装置。
【請求項１８】
前記状態は、
前記ユーザー・デバイスにより前記第１セルから受信された信号の、閾値よりも低い信号品質、
前記ユーザー・デバイスと前記第１セルの間の前記第１接続の、前記ユーザー・デバイスによって検出された不具合、
前記第１セルから第３セルへのハンドオーバーまたはセル再選択を実行することの、前記ユーザー・デバイスまたはコア・ネットワークのいずれかによる決定、および、
前記第１セルに対する接続再確立を実行することの、前記ユーザー・デバイスまたはコア・ネットワークのいずれかによる決定、
のうちの少なくとも１つを含む、
請求項１７に記載の装置。
【請求項１９】
実行可能コードを備えるコンピュータ・プログラムであって、前記実行可能コードは、少なくとも１つのデータ処理装置によって実行されたとき、前記少なくとも１つのデータ処理装置に、
ユーザー・デバイスのために、無線ネットワーク内で多重接続セッションを確立するステップであって、前記多重接続セッションは、前記ユーザー・デバイスと第１セルとの間の第１接続、および、前記ユーザー・デバイスと第２セルとの間の第２接続を含み、前記第１接続および前記第２接続は独立しており、前記多重接続セッションのための１つ以上のダウンリンク・データ・ユニットは、前記第１セルおよび前記第２セルの両方により受信される、ステップと、
前記多重接続セッションの第１データ・ユニット群を受信する要求の前記ユーザー・デバイスによる前記第１セルへの送信を制御するステップと、
前記多重接続セッションの第２データ・ユニット群を受信する要求の、前記ユーザー・デバイスによる前記第２セルへの送信を制御するステップであって、第１データ・ユニット群が第２データ・ユニット群と異なっている、ステップと、
を含む方法を実行させるように構成される、コンピュータ・プログラム。
【請求項２０】
コア・ネットワークの多重接続エンティティにより、無線ネットワーク内で、前記多重接続エンティティとユーザー・デバイスとの間の多重接続セッションを確立するステップであって、前記多重接続セッションが、少なくとも、第１セルを介した、前記ユーザー・デバイスと前記多重接続エンティティとの間の第１接続、および、第２セルを介した、前記ユーザー・デバイスと前記多重接続セッションとの間の第２接続を含み、前記第１接続および前記第２接続は独立している、ステップと、
前記多重接続エンティティによる、前記多重接続セッションの複数のダウンリンク・データ・ユニットの受信を制御するステップと、
前記多重接続セッションの各ダウンリンク・データ・ユニットのための多重接続セッション・シーケンス数を、前記多重接続エンティティにより提供するステップと、
前記第１セルおよび前記第２セルの両方に対する前記多重接続セッションの複数の前記ダウンリンク・データ・ユニットのコピーの前記多重接続エンティティによる送信を制御するステップと、
を含む方法。
【請求項２１】
前記ユーザー・デバイスが、前記多重接続セッションの前記第１接続のために、前記第１セルから第３セルへのハンドオーバーまたはセル再選択を行った後に、前記第１セルに対する前記多重接続セッションのためのダウンリンク・データ・ユニットの送信を制御するステップを、前記多重接続エンティティにより中断するステップと、
前記第３セルからの要求に基づいて、前記多重接続エンティティによる、前記第３セルに対する前記多重接続セッションの前記ダウンリンク・データ・ユニットの少なくともいくつかのコピーの送信を制御するステップと、
を実行するステップをさらに含む、
請求項２０に記載の方法。
【請求項２２】
前記多重接続セッションの前記ダウンリンク・データ・ユニットの各々は、前記ユーザー・デバイスからの１つ以上の要求に基づいて、前記ユーザー・デバイスへ、前記第１セルまたは前記第２セルのいずれかから転送される、請求項２０に記載の方法。
【請求項２３】
前記第１セルを介して送信された、前記ユーザー・デバイスからの多重接続セッションの１つ以上のアップリンクデータ・ユニット、および、前記第２セルを介して送信された、前記ユーザー・デバイスからの前記多重接続セッションの１つ以上のアップリンクデータ・ユニットの、前記多重接続エンティティによって、受信を制御するステップであって、前記受信したアップリンクデータ・ユニットの各々は、多重接続セッション・シーケンス数を含む、ステップと、
前記受信したデータ・ユニットの各々に対する前記多重接続セッション・シーケンス数に基づいて、前記受信したアップリンクデータ・ユニットを、前記多重接続エンティティによって順序変更するステップと、
をさらに含む、請求項２０に記載の方法。
【請求項２４】
前記第１接続は、前記ユーザー・デバイスと前記第１セルとの間の第１無線接続、
および、前記第１セルと前記多重接続エンティティとの間の第１バックホール接続を含み、
前記第２接続は、前記ユーザー・デバイスと前記第２セルとの間の第２無線接続、および、前記第２セルと前記多重接続エンティティとの間の第２バックホール接続を含む、
請求項２０に記載の方法。
【請求項２５】
少なくとも１つのプロセッサとコンピュータ命令を含む少なくとも１つのメモリと、を備える装置であって、
前記コンピュータ命令は、前記少なくとも１つのプロセッサにより実行されたとき、
前記装置に、無線ネットワーク内でコア・ネットワークの多重接続エンティティと
ユーザー・デバイスとの間で多重接続セッションを確立させ、ここで、前記多重接続セッションは、少なくとも、第１セルを介した前記ユーザー・デバイスと前記多重接続エンティティとの間の第１接続、および、第２セルを介した前記ユーザー・デバイスと前記多重接続セッションとの間の第２接続を含み、前記第１接続と前記第２接続は独立しており、
前記多重接続セッションの複数のダウンリンク・データ・ユニットの、前記多重接続エンティティによる受信を制御させ、
前記多重接続セッションの各ダウンリンク・データ・ユニットのための多重接続セッション・シーケンス数を、前記多重接続エンティティにより提供させ、
前記第１セルおよび前記第２セルの両方に対する、前記多重接続セッションの複数の前記ダウンリンク・データ・ユニットのコピーの、前記多重接続エンティティによる送信を制御させる、
装置。
【国際調査報告】
2017526302.tif 000008
2017526302.tif 000009